(57)【特許請求の範囲】
【請求項１】
情報を報知する報知部と、
電源電圧を生成する電源部と、
前記電源電圧を用いて所定の動作を行う交換ユニットと、
前記電源部に接続された本体側電源端子を備え、前記交換ユニットが着脱可能に接続される本体側接続部と、
前記電源部から前記本体側電源端子への前記電源電圧の供給と遮断とを切り替える給電切替部と、
前記交換ユニットの取り外しの要否を判断する着脱要否判断部と、
前記給電切替部と前記報知部の動作を制御する給電制御部と、
を備え、
前記交換ユニットは、
前記本体側接続部と着脱可能に接続されるユニット側接続部と、
前記電源電圧を用いて所定の動作を行う動作部と、
を備え、
前記ユニット側接続部は、
前記本体側電源端子と接続され、前記電源電圧を前記動作部へ供給するユニット側電源端子を備え、
前記本体側電源端子は、前記ユニット側電源端子と接続される側とは反対側の端部が前記給電切替部を介して前記電源部に接続され、
前記給電制御部は、前記着脱要否判断部によって前記交換ユニットの取り外しが必要と判断された場合に、前記給電切替部によって前記電源部から前記本体側電源端子への前記電源電圧の供給を遮断させる処理と、前記交換ユニットの取り外しを促す情報を前記報知部によって報知させる処理と、を行う画像形成装置であって、
前記給電切替部は、前記電源部から前記本体側電源端子に向かう電流経路を導通させるオン状態と、前記電流経路を遮断するオフ状態と、を切り替えることによって、前記電源部から前記本体側電源端子への前記電源電圧の供給と遮断とを切り替え、
前記ユニット側接続部は、ユニット側信号端子と、互いに導通する第１のユニット側接続端子と第２のユニット側接続端子とを含み、
前記ユニット側電源端子、前記第１のユニット側接続端子、前記第２のユニット側接続端子、及び前記ユニット側信号端子は、前記ユニット側電源端子及び前記ユニット側信号端子を前記ユニット側接続部の両端の端子とし、前記ユニット側電源端子と前記ユニット側信号端子との間に前記第１のユニット側接続端子及び前記第２のユニット側接続端子を設けるようにして並設され、
前記本体側接続部は、前記ユニット側信号端子と接続される本体側信号端子と、前記第１のユニット側接続端子と接続される第１の本体側接続端子と、前記第２のユニット側接続端子と接続される第２の本体側接続端子と、を含み、
前記本体側電源端子、前記第１の本体側接続端子、前記第２の本体側接続端子、及び前記本体側信号端子は、前記本体側電源端子及び前記本体側信号端子を前記本体側接続部の両端の端子とし、前記本体側電源端子と前記本体側信号端子との間に前記第１の本体側接続端子及び前記第２の本体側接続端子を設けるようにして並設され、
前記画像形成装置は、前記第１の本体側接続端子と前記第２の本体側接続端子との間の導通の有無を検出する導通検出部を更に備え、
前記給電制御部は、更に、前記導通検出部によって前記導通が検出された場合に、前記給電切替部に前記電源部から前記本体側電源端子へ前記電源電圧を供給させる処理を実行し、
前記画像形成装置は、前記交換ユニットを２つ以上備え、
前記本体側接続部は、２つの前記交換ユニットの前記ユニット側接続部にそれぞれ対応する第１の本体側接続部及び第２の本体側接続部を含み、
前記第１の本体側接続部及び前記第２の本体側接続部は、それぞれに対応する前記ユニット側接続部の前記第１のユニット側接続端子と接続される前記第１の本体側接続端子と、それぞれに対応する前記ユニット側接続部の前記第２のユニット側接続端子と接続される前記第２の本体側接続端子と、を含み、
前記画像形成装置は、
一端が抵抗器を介して前記電源部に接続され、他端が前記導通検出部に接続された検出用配線部と、
前記第１の本体側接続部の前記第２の本体側接続端子と前記第２の本体側接続部の前記第１の本体側接続端子とを接続する配線部と、
を更に備え、
前記第１の前記本体側接続部の前記第１の本体側接続端子は、前記第１のユニット側接続端子と接続される側とは反対側の端部が前記検出用配線部の前記一端に接続され、
前記第２の前記本体側接続部の前記第２の本体側接続端子は、前記第２のユニット側接続端子と接続される側とは反対側の端部がグランドに接続され、
前記導通検出部は、前記電源部から前記抵抗器を介して前記検出用配線部に印加される電圧値を測定し、測定した電圧値が所定の基準電圧値を下回るか否かによって、前記第１の本体側接続部の前記第１の本体側接続端子と前記第２の本体側接続部の前記第２の本体側接続端子との間の導通を検出する画像形成装置。
【請求項２】
前記画像形成装置は、
前記交換ユニットを４つ以上備え、
前記本体側接続部は、前記４つ以上の交換ユニットの前記ユニット側接続部にそれぞれ対応する第１の本体側接続部、第２の本体側接続部、及び複数の第３の本体側接続部を含み、
前記第１の本体側接続部、前記第２の本体側接続部、及び前記複数の第３の本体側接続部は、それぞれに対応する前記ユニット側接続部の前記第１のユニット側接続端子と接続される前記第１の本体側接続端子と、それぞれに対応する前記ユニット側接続部の前記第２のユニット側接続端子と接続される前記第２の本体側接続端子と、を含み、
前記画像形成装置は、
前記第１の本体側接続部の前記第２の本体側接続端子と前記複数の第３の本体側接続部のうち一つの前記第３の本体側接続部の前記第１の本体側接続端子とを接続する第１の配線部と、
前記第２の本体側接続部の前記第１の本体側接続端子と前記一つの第３の本体側接続部とは別の前記第３の本体側接続部の前記第２の本体側接続端子とを接続する第２の配線部と、
前記一つの前記第３の本体側接続部の前記第１の本体側接続端子と前記別の前記第３の本体側接続部の前記第２の本体側接続端子とを除く前記複数の第３の本体側接続部の前記第１及び第２の本体側接続端子について、前記複数の第３の本体側接続部の前記第２の本体側接続端子を、それぞれ別の前記第３の本体側接続部の前記第１の本体側接続端子に一対一になるように接続する第３の配線部と、を更に備え、
前記導通検出部は、
前記第１の本体側接続部の第１の本体側接続端子と、前記第２の本体側接続部の第２の本体側接続端子との間の導通の有無を検出する請求項１記載の画像形成装置。
【請求項３】
前記画像形成装置は、
前記交換ユニットを３つ備え、
前記本体側接続部は、前記３つの交換ユニットの前記ユニット側接続部にそれぞれ対応する第１の本体側接続部、第２の本体側接続部、及び第３の本体側接続部を含み、
前記第１の本体側接続部、前記第２の本体側接続部、及び前記第３の本体側接続部は、それぞれに対応する前記ユニット側接続部の前記第１のユニット側接続端子と接続される前記第１の本体側接続端子と、それぞれに対応する前記ユニット側接続部の前記第２のユニット側接続端子と接続される前記第２の本体側接続端子と、を含み、
前記画像形成装置は、
前記第１の本体側接続部の前記第２の本体側接続端子と前記第３の本体側接続部の前記第１の本体側接続端子とを接続する第１の配線部と、
前記第３の本体側接続部の前記第２の本体側接続端子と前記第２の本体側接続部の前記第１の本体側接続端子とを接続する第２の配線部と、を更に備え、
前記導通検出部は、
前記第１の本体側接続部の前記第１の本体側接続端子と、前記第２の本体側接続部の前記第２の本体側接続端子との間の導通を検出する請求項１記載の画像形成装置。
【請求項４】
記憶部と、
前記動作部が前記所定の動作を実行した履歴に関する情報である履歴情報を前記動作部と対応付けて記憶する履歴情報記憶部と、
前記履歴情報に対応する前記動作部の交換の要否を前記履歴情報に基づき判断するための基準となる基準情報を記憶する基準情報記憶部と、を更に備え、
前記着脱要否判断部は、
前記履歴情報と前記基準情報とに基づき、前記交換ユニットを交換するための取り外しの要否を判断する請求項１から３の何れか一項に記載の画像形成装置。
【請求項５】
解消するために前記交換ユニットを取り外す必要のある異常を検出する異常検出部を更に備え、
前記着脱要否判断部は、
前記異常検出部によって前記異常の発生が検出された場合に、前記交換ユニットの取り外しが必要と判断する請求項１から３の何れか一項に記載の画像形成装置。
【発明の詳細な説明】
【技術分野】
【０００１】
本発明は、画像形成装置に関し、特に、画像形成装置に備えられた交換ユニットを取り外す場合に交換ユニットへの給電を制御する技術に関する。
【背景技術】
【０００２】
従来から、トナーコンテナーや現像器等の寿命を有する交換部品を装置本体に着脱可能な交換ユニットとして構成した画像形成装置が知られている。このような画像形成装置においては、交換部品が寿命に達すると、ユーザーにその旨を報知する処理が行われる。これによって、報知を受けたユーザーは、寿命に達した交換部品を含む交換ユニットを装置本体から取り外して、新たな交換ユニットを装置本体に装着する交換作業を行う。
【０００３】
しかし、交換ユニットに電源電圧が供給されている状態で、ユーザーによって交換ユニットが装置本体から取り外されると、交換ユニットと装置本体との接続部に瞬間的に所謂サージ電圧が生じる。これによって交換ユニット内に大電流が流れ込み、交換ユニットを損傷させる虞がある。
【０００４】
そこで、例えば、下記特許文献１には、入出力装置が取り付けられるコネクターに電源ピンよりも長いグランドピンを設ける技術が開示されている。この技術によれば、入出力装置がコネクターから取り外されるときに、電源ピンの接続が切断された後、グランドピンの接続が切断される。このため、入出力装置がコネクターから取り外されるときに、電源ピンに生じたサージ電圧によって流れる電流をグランドへ逃がすことができる。
【０００５】
また、下記特許文献２には、ピンヘッダの周囲に巻きバネを設ける技術が開示されている。この技術によれば、ピンヘッダがソケットレセプタクルから取り外されるときに、巻きバネの付勢力で急速にピンヘッダがソケットレセプタクルから取り外されるため、ピンヘッダとソケットレセプタクルとの接点間に発生する火花放電に起因する接点の損傷を少なくすることができる。
【先行技術文献】
【特許文献】
【０００６】
【特許文献１】特開平１０−３３７９４号公報
【特許文献２】特開平７−１２２３３２号公報
【発明の概要】
【発明が解決しようとする課題】
【０００７】
しかし、上記特許文献１や上記特許文献２に記載の技術を用いる場合、交換ユニットと装置本体との接続部に、長いピンや巻きバネ等の特殊な機構を設けるためにコストがかかるという問題があった。
【０００８】
本発明は、このような事情に鑑みてなされたものであり、交換ユニットを取り外す際に交換ユニットが損傷する虞を低減するためのコストを低減することができる画像形成装置を提供することを目的とする。
【課題を解決するための手段】
【０００９】
本発明に係る画像形成装置は、情報を報知する報知部と、電源電圧を生成する電源部と、前記電源電圧を用いて所定の動作を行う交換ユニットと、前記電源部に接続された本体側電源端子を備え、前記交換ユニットが着脱可能に接続される本体側接続部と、前記電源部から前記本体側電源端子への前記電源電圧の供給と遮断とを切り替える給電切替部と、前記交換ユニットの取り外しの要否を判断する着脱要否判断部と、前記給電切替部と前記報知部の動作を制御する給電制御部と、を備え、前記交換ユニットは、前記本体側接続部と着脱可能に接続されるユニット側接続部と、前記電源電圧を用いて所定の動作を行う動作部と、を備え、前記ユニット側接続部は、前記本体側電源端子と接続され、前記電源電圧を前記動作部へ供給するユニット側電源端子を備え、前記本体側電源端子は、前記ユニット側電源端子と接続される側とは反対側の端部が前記給電切替部を介して前記電源部に接続され、前記給電制御部は、前記着脱要否判断部によって前記交換ユニットの取り外しが必要と判断された場合に、前記給電切替部によって前記電源部から前記本体側電源端子への前記電源電圧の供給を遮断させる処理と、前記交換ユニットの取り外しを促す情報を前記報知部によって報知させる処理と、を行う画像形成装置であって、前記給電切替部は、前記電源部から前記本体側電源端子に向かう電流経路を導通させるオン状態と、前記電流経路を遮断するオフ状態と、を切り替えることによって、前記電源部から前記本体側電源端子への前記電源電圧の供給と遮断とを切り替え、前記ユニット側接続部は、ユニット側信号端子と、互いに導通する第１のユニット側接続端子と第２のユニット側接続端子とを含み、前記ユニット側電源端子、前記第１のユニット側接続端子、前記第２のユニット側接続端子、及び前記ユニット側信号端子は、前記ユニット側電源端子及び前記ユニット側信号端子を前記ユニット側接続部の両端の端子とし、前記ユニット側電源端子と前記ユニット側信号端子との間に前記第１のユニット側接続端子及び前記第２のユニット側接続端子を設けるようにして並設され、前記本体側接続部は、前記ユニット側信号端子と接続される本体側信号端子と、前記第１のユニット側接続端子と接続される第１の本体側接続端子と、前記第２のユニット側接続端子と接続される第２の本体側接続端子と、を含み、前記本体側電源端子、前記第１の本体側接続端子、前記第２の本体側接続端子、及び前記本体側信号端子は、前記本体側電源端子及び前記本体側信号端子を前記本体側接続部の両端の端子とし、前記本体側電源端子と前記本体側信号端子との間に前記第１の本体側接続端子及び前記第２の本体側接続端子を設けるようにして並設され、前記画像形成装置は、前記第１の本体側接続端子と前記第２の本体側接続端子との間の導通の有無を検出する導通検出部を更に備え、前記給電制御部は、更に、前記導通検出部によって前記導通が検出された場合に、前記給電切替部に前記電源部から前記本体側電源端子へ前記電源電圧を供給させる処理を実行し、前記画像形成装置は、前記交換ユニットを２つ以上備え、前記本体側接続部は、２つの前記交換ユニットの前記ユニット側接続部にそれぞれ対応する第１の本体側接続部及び第２の本体側接続部を含み、前記第１の本体側接続部及び前記第２の本体側接続部は、それぞれに対応する前記ユニット側接続部の前記第１のユニット側接続端子と接続される前記第１の本体側接続端子と、それぞれに対応する前記ユニット側接続部の前記第２のユニット側接続端子と接続される前記第２の本体側接続端子と、を含み、前記画像形成装置は、一端が抵抗器を介して前記電源部に接続され、他端が前記導通検出部に接続された検出用配線部と、前記第１の本体側接続部の前記第２の本体側接続端子と前記第２の本体側接続部の前記第１の本体側接続端子とを接続する配線部と、を更に備え、前記第１の前記本体側接続部の前記第１の本体側接続端子は、前記第１のユニット側接続端子と接続される側とは反対側の端部が前記検出用配線部の前記一端に接続され、前記第２の前記本体側接続部の前記第２の本体側接続端子は、前記第２のユニット側接続端子と接続される側とは反対側の端部がグランドに接続され、前記導通検出部は、前記電源部から前記抵抗器を介して前記検出用配線部に印加される電圧値を測定し、測定した電圧値が所定の基準電圧値を下回るか否かによって、前記第１の本体側接続部の前記第１の本体側接続端子と前記第２の本体側接続部の前記第２の本体側接続端子との間の導通を検出する。
【００１０】
この構成によれば、着脱要否判断部によって交換ユニットの取り外しが必要と判断された場合に、電源部から本体側電源端子への電源電圧の供給が遮断されるので、ユニット側電源端子において電源電圧が受電されなくなる。また、着脱要否判断部によって交換ユニットの取り外しが必要と判断された場合には、報知部によって交換ユニットの取り外しを促す情報が報知される。
【００１１】
このため、ユーザーは、交換ユニットの取り外しが必要であることに気付き、交換ユニットを取り外すことができる。そして、ユーザーによって交換ユニットが取り外されるときには、交換ユニットは、電源電圧を受電していない状態になっているので、交換ユニットの取り外しのためにユニット側接続部が本体側接続部から取り外されるときに、ユニット側電源端子にサージ電圧が生じる虞が軽減される。これによって、交換ユニットを損傷させる虞が軽減される。
【００１２】
このように、上記に開示した画像形成装置の構成によれば、ユニット側接続部及び本体側接続部に例えば巻きバネや先当りピン等の特殊な機構を設ける必要がないので、交換ユニットを取り外す際に交換ユニットが損傷する虞を低減するためのコストを低減することができる。
【００１４】
この構成によれば、２つのユニット側接続部がともにそれぞれに対応する第１の本体側接続部及び第２の本体側接続部に装着された場合には、以下のような電流の導通経路が形成されることになる。
第１の本体側接続部にユニット側接続部が装着されると、電源部からグランドに向かって、抵抗器、第１の本体側接続部の第１の本体側接続端子、第１のユニット側接続端子、第２のユニット側接続端子、第１の本体側接続部の第２の本体側接続端子を順に通る電流の導通経路が形成される。更に、配線部によって、第１の本体側接続部の第２の本体側接続端子から第２の本体側接続部の第１の本体側接続端子に至る電流の導通経路が形成される。
つまり、２つのユニット側接続部がともに本体側接続部に装着された場合には、第１の本体側接続部の第１の本体側接続端子と第２の本体側接続部の第２の本体側接続端子との間に、２つのユニット側接続部に含まれる全ての第１のユニット側接続端子及び第２のユニット側接続端子と、本体側接続部に含まれる全ての第１の本体側接続端子及び第２の本体側接続端子と、を通る電流の導通経路が形成される。このため、２つのユニット側接続部のうちの何れかが本体側接続部に装着されていない場合には、上記の電流の導通経路がどこかで遮断されることとなる。
このように、上記に開示した画像形成装置の構成によれば、導通検出部によって、電源部から抵抗器を介して検出用配線部に印加される電圧値を測定し、測定した電圧値が所定の基準電圧値を下回るか否かによって、第１の本体側接続部の第１の本体側接続端子と第２の本体側接続部の第２の本体側接続端子との間の導通、即ち、２つのユニット側接続部に含まれる全ての第１のユニット側接続端子及び第２のユニット側接続端子と、本体側接続部に含まれる全ての第１の本体側接続端子及び第２の本体側接続端子と、を通る電流の導通経路の導通の有無を検出することによって、適切に、２つのユニット側接続部がともに本体側接続部に装着されたか否かを検知することができる。
【００１５】
そして、第１の本体側接続部の第１の本体側接続端子と第２の本体側接続部の第２の本体側接続端子との間の導通が検出された場合に、つまり、２つのユニット側接続部がともに本体側接続部に装着された後に、給電切替部が、電源部から本体側電源端子に向かう電流経路を導通させるオン状態に切り替えられ、電源部から本体側電源端子への電源電圧の供給が開始される。つまり、２つの交換ユニットのうち、一つでも本体側接続部に装着されていない交換ユニットがあれば、本体側接続部には電源電圧は供給されない。したがって、電源電圧が供給された本体側接続部に交換ユニットが装着されることがない。これによって、本体側接続部に装着された交換ユニットのユニット側電源端子にサージ電圧が生じる虞が軽減され、当該交換ユニットを損傷させる虞が軽減される。
【００１６】
また、前記画像形成装置は、前記交換ユニットを４つ以上備え、前記本体側接続部は、前記４つ以上の交換ユニットの前記ユニット側接続部にそれぞれ対応する第１の本体側接続部、第２の本体側接続部、及び複数の第３の本体側接続部を含み、前記第１の本体側接続部、前記第２の本体側接続部、及び前記複数の第３の本体側接続部は、それぞれに対応する前記ユニット側接続部の前記第１のユニット側接続端子と接続される前記第１の本体側接続端子と、それぞれに対応する前記ユニット側接続部の前記第２のユニット側接続端子と接続される前記第２の本体側接続端子と、を含み、前記画像形成装置は、前記第１の本体側接続部の前記第２の本体側接続端子と前記複数の第３の本体側接続部のうち一つの前記第３の本体側接続部の前記第１の本体側接続端子とを接続する第１の配線部と、前記第２の本体側接続部の前記第１の本体側接続端子と前記一つの第３の本体側接続部とは別の前記第３の本体側接続部の前記第２の本体側接続端子とを接続する第２の配線部と、前記一つの前記第３の本体側接続部の前記第１の本体側接続端子と前記別の前記第３の本体側接続部の前記第２の本体側接続端子とを除く前記複数の第３の本体側接続部の前記第１及び第２の本体側接続端子について、前記複数の第３の本体側接続部の前記第２の本体側接続端子を、それぞれ別の前記第３の本体側接続部の前記第１の本体側接続端子に一対一になるように接続する第３の配線部と、を更に備え、前記導通検出部は、前記第１の本体側接続部の第１の本体側接続端子と、前記第２の本体側接続部の第２の本体側接続端子との間の導通の有無を検出することが好ましい。
【００１７】
この構成によれば、４つ以上のユニット側接続部の全てがそれぞれに対応する第１の本体側接続部、第２の本体側接続部、及び複数の第３の本体側接続部に装着された場合には、以下のような電流の導通経路が形成されることになる。
【００１８】
第１の本体側接続部にユニット側接続部が装着されると、第１の本体側接続部の第１の本体側接続端子、第１のユニット側接続端子、第２のユニット側接続端子、第１の本体側接続部の第２の本体側接続端子を順に通る電流の導通経路が形成される。更に、第１の配線部によって、第１の本体側接続部の第２の本体側接続端子から複数の第３の本体側接続部のうち一つの第３の本体側接続部の第１の本体側接続端子に至る電流の導通経路が形成される。
【００１９】
また、複数の第３の本体側接続部のそれぞれにユニット側接続部が装着されると、第３の本体側接続部の第１の本体側接続端子、第１のユニット側接続端子、第２のユニット側接続端子、第３の本体側接続部の第２の本体側接続端子を順に通る電流の導通経路が形成される。更に、第３の配線部によって、第３の本体側接続部の第２の本体側接続端子から当該第３の本体側接続部とは別の第３の本体側接続部の第１の本体側接続端子に至る電流の導通経路が形成される。
【００２０】
また、第２の配線部によって、複数の第３の本体側接続部の第２の本体側接続端子のうち、前記別の第３の本体側接続部の第１の本体側接続端子に接続されていない第２の本体側接続端子から第２の本体側接続部の第１の本体側接続端子に至る電流の導通経路が形成される。
【００２１】
そして、第２の本体側接続部にユニット側接続部が装着されると、第２の本体側接続部の第１の本体側接続端子、第１のユニット側接続端子、第２のユニット側接続端子、第２の本体側接続部の第２の本体側接続端子を順に通る電流の導通経路が形成される。
【００２２】
つまり、４つ以上のユニット側接続部の全てがそれぞれに対応する第１の本体側接続部、第２の本体側接続部、及び複数の第３の本体側接続部に装着された場合には、第１の本体側接続部の第１の本体側接続端子と第２の本体側接続部の第２の本体側接続端子との間に、４つ以上のユニット側接続部に含まれる全ての第１のユニット側接続端子及び第２のユニット側接続端子と、第１の本体側接続部、第２の本体側接続部、及び複数の第３の本体側接続部に含まれる全ての第１の本体側接続端子及び第２の本体側接続端子と、を通る電流の導通経路が形成される。このため、４つ以上のユニット側接続部のうちの何れかが本体側接続部に装着されていない場合には、上記の電流の導通経路がどこかで遮断されることとなる。
【００２３】
このように、上記に開示した画像形成装置の構成によれば、導通検出部によって、第１の本体側接続部の第１の本体側接続端子と第２の本体側接続部の第２の本体側接続端子との間の導通、即ち、４つ以上のユニット側接続部に含まれる全ての第１のユニット側接続端子及び第２のユニット側接続端子と、本体側接続部に含まれる全ての第１の本体側接続端子及び第２の本体側接続端子と、を通る電流の導通経路の導通の有無を検出することによって、適切に、４つ以上のユニット側接続部の全てが本体側接続部に装着されたか否かを検知することができる。
【００２４】
そして、第１の本体側接続部の第１の本体側接続端子と第２の本体側接続部の第２の本体側接続端子との間の導通が検出された場合に、つまり、４つ以上のユニット側接続部の全てが本体側接続部に装着された後に、電源部から本体側電源端子への電源電圧の供給が開始される。つまり、４つ以上の交換ユニットのうち、一つでも本体側接続部に装着されていない交換ユニットがあれば、本体側接続部には電源電圧は供給されない。したがって、電源電圧が供給された本体側接続部に交換ユニットが装着されることがない。これによって、本体側接続部に装着された交換ユニットのユニット側電源端子にサージ電圧が生じる虞が軽減され、当該交換ユニットを損傷させる虞が軽減される。
【００２５】
また、前記画像形成装置は、前記交換ユニットを３つ備え、前記本体側接続部は、前記３つの交換ユニットの前記ユニット側接続部にそれぞれ対応する第１の本体側接続部、第２の本体側接続部、及び第３の本体側接続部を含み、前記第１の本体側接続部、前記第２の本体側接続部、及び前記第３の本体側接続部は、それぞれに対応する前記ユニット側接続部の前記第１のユニット側接続端子と接続される前記第１の本体側接続端子と、それぞれに対応する前記ユニット側接続部の前記第２のユニット側接続端子と接続される前記第２の本体側接続端子と、を含み、前記画像形成装置は、前記第１の本体側接続部の前記第２の本体側接続端子と前記第３の本体側接続部の前記第１の本体側接続端子とを接続する第１の配線部と、前記第３の本体側接続部の前記第２の本体側接続端子と前記第２の本体側接続部の前記第１の本体側接続端子とを接続する第２の配線部と、を更に備え、前記導通検出部は、前記第１の本体側接続部の前記第１の本体側接続端子と、前記第２の本体側接続部の前記第２の本体側接続端子との間の導通を検出する構成であってもよい。
【００２６】
この構成によれば、３つのユニット側接続部の全てがそれぞれに対応する第１の本体側接続部、第２の本体側接続部、及び第３の本体側接続部に装着された場合には、以下のような電流の導通経路が形成されることになる。
【００２７】
第１の本体側接続部にユニット側接続部が装着されると、第１の本体側接続部の第１の本体側接続端子、第１のユニット側接続端子、第２のユニット側接続端子、第１の本体側接続部の第２の本体側接続端子を順に通る電流の導通経路が形成される。更に、第１の配線部によって、第１の本体側接続部の第２の本体側接続端子から第３の本体側接続部の第１の本体側接続端子に至る電流の導通経路が形成される。
【００２８】
また、第３の本体側接続部にユニット側接続部が装着されると、第３の本体側接続部の第１の本体側接続端子、第１のユニット側接続端子、第２のユニット側接続端子、第３の本体側接続部の第２の本体側接続端子を順に通る電流の導通経路が形成される。更に、第２の配線部によって、第３の本体側接続部の第２の本体側接続端子から第２の本体側接続部の第１の本体側接続端子に至る電流の導通経路が形成される。
【００２９】
つまり、３つのユニット側接続部の全てが本体側接続部に装着された場合には、第１の本体側接続部の第１の本体側接続端子と第２の本体側接続部の第２の本体側接続端子との間に、３つのユニット側接続部に含まれる全ての第１のユニット側接続端子及び第２のユニット側接続端子と、本体側接続部に含まれる全ての第１の本体側接続端子及び第２の本体側接続端子と、を通る電流の導通経路が形成される。このため、３つのユニット側接続部のうちの何れかが本体側接続部に装着されていない場合には、上記の電流の導通経路がどこかで遮断されることとなる。
【００３０】
このように、上記に開示した画像形成装置の構成によれば、導通検出部によって、第１の本体側接続部の第１の本体側接続端子と第２の本体側接続部の第２の本体側接続端子との間の導通、即ち、３つのユニット側接続部に含まれる全ての第１のユニット側接続端子及び第２のユニット側接続端子と、本体側接続部に含まれる全ての第１の本体側接続端子及び第２の本体側接続端子と、を通る電流の導通経路の導通の有無を検出することによって、適切に、３つのユニット側接続部の全てがそれぞれに対応する本体側接続部に装着されたか否かを検知することができる。
【００３１】
そして、第１の本体側接続部の第１の本体側接続端子と第２の本体側接続部の第２の本体側接続端子との間の導通が検出された場合に、つまり、３つのユニット側接続部の全てが本体側接続部に装着された後に、電源部から各本体側電源端子への電源電圧の供給が開始される。つまり、３つの交換ユニットのうち、一つでも本体側接続部に装着されていない交換ユニットがあれば、本体側接続部には電源電圧は供給されない。したがって、電源電圧が供給された本体側接続部に交換ユニットが装着されることがない。これによって、本体側接続部に装着された交換ユニットのユニット側電源端子にサージ電圧が生じる虞が軽減され、当該交換ユニットを損傷させる虞が軽減される。
【００３８】
また、記憶部と、前記動作部が前記所定の動作を実行した履歴に関する情報である履歴情報を前記動作部と対応付けて記憶する履歴情報記憶部と、前記履歴情報に対応する前記動作部の交換の要否を前記履歴情報に基づき判断するための基準となる基準情報を記憶する基準情報記憶部と、を更に備え、前記着脱要否判断部は、前記履歴情報と前記基準情報とに基づき、前記交換ユニットを交換するための取り外しの要否を判断することが好ましい。
【００３９】
この構成によれば、着脱要否判断部は、履歴情報記憶部に記憶された履歴情報と基準情報記憶部に記憶された基準情報とに基づいて、動作部の交換の要否を判断することができる。これによって、着脱要否判断部は、動作部の交換が必要であると判断した場合には、その動作部を含む交換ユニットの交換が必要であると考えられるので、その交換ユニットを交換するために取り外しが必要であることを適切に判断することができる。
【００４０】
また、解消するために前記交換ユニットを取り外す必要のある異常を検出する異常検出部を更に備え、前記着脱要否判断部は、前記異常検出部によって前記異常の発生が検出された場合に、前記交換ユニットの取り外しが必要と判断することが好ましい。
【００４１】
この構成によれば、解消するために交換ユニットを取り外す必要のある異常を、異常検出部によって検出することができる。そして、異常検出部によって解消するために交換ユニットを取り外す必要のある異常が検出された場合には、その検出された異常を解決するためには交換ユニットを取り外す必要があるので、着脱要否判断部は、当該交換ユニットの取り外しが必要であることを適切に判断することができる。
【発明の効果】
【００４２】
本発明によれば、交換ユニットを取り外す際に交換ユニットが損傷する虞を低減するためのコストを低減することができる画像形成装置を提供することができる。
【図面の簡単な説明】
【００４３】
【図１】本発明に係る画像形成装置の一例としての複写機の概略構成図である。
【図２】複写機における交換ユニットに関わる部分の構成の一例を示すブロック図である。
【図３】ユーザーが交換ユニットを複写機から取り外すときの複写機の動作の一例を示すフローチャートである。
【図４】交換ユニットの取り外しを促す情報が表示された表示部の一例を示す説明図である。
【図５】ユーザーが交換ユニットを複写機に装着するときの複写機の動作の一例を示すフローチャートである。
【図６】複写機におけるトナー供給部を含む交換ユニットに関わる部分の構成の一例を示すブロック図である。
【図７】ユーザーがトナー供給部を含む交換ユニットを複写機から取り外すときの複写機の動作の一例を示すフローチャートである。
【図８】複写機における現像部を含む交換ユニットに関わる部分の構成の一例を示すブロック図である。
【図９】ユーザーが現像部を含む交換ユニットを複写機から取り外すときの複写機の動作の一例を示すフローチャートである。
【図１０】複写機における定着部を含む交換ユニットに関わる部分の構成の一例を示すブロック図である。
【図１１】ユーザーが定着部を含む交換ユニットを複写機から取り外すときの複写機の動作の一例を示すフローチャートである。
【図１２】複写機における３つの交換ユニットに関わる部分の構成の一例を示すブロック図ある。
【図１３】複写機における２つの交換ユニットに関わる部分の構成の一例を示すブロック図である。
【図１４】複写機における５つの交換ユニットに関わる部分の構成の一例を示すブロック図である。
【発明を実施するための形態】
【００４４】
〔第１実施形態〕
以下、本発明に係る実施形態を図面に基づいて説明する。図１は、本発明に係る画像形成装置の一例としての複写機１の概略構成図である。
【００４５】
図１に示すように、複写機１は、操作部３０と、原稿読取部５０と、原稿給送部７０と、本体部１００と、を備えている。
【００４６】
操作部３０は、情報を表示するための表示部３１（報知部）と、ユーザーによって各種指示の操作を行わせるための操作キー部３２と、スピーカー３３（報知部）と、を備えている。表示部３１は、例えばタッチパネル機能を有する液晶ディスプレイ等によって構成されている。操作キー部３２は、例えばユーザーが印刷実行指示を入力するためのスタートキーや、印刷部数等を入力するためのテンキー等の各種キースイッチを備えている。スピーカー３３は、後述の制御部１０から入力された指示に従って所定の音声を出力する装置である。
【００４７】
原稿読取部５０は、露光ランプ及びＣＣＤ（Ｃｈａｒｇｅ  Ｃｏｕｐｌｅｄ  Ｄｅｖｉｃｅ）等からなるスキャナー部５１と、ガラス等の透明部材により構成された原稿台５２と、原稿読取スリット５３と、を備えている。
【００４８】
スキャナー部５１は、図略の駆動部によって移動可能に構成され、原稿台５２に載置された原稿を読み取るときは、原稿台５２に対向する位置で原稿面に沿って移動され、原稿を走査しつつ取得した画像を表す画像データを後述する制御部１０へ出力する。また、原稿給送部７０により給送された原稿を読み取るときは、原稿読取スリット５３と対向する位置に移動され、原稿読取スリット５３を介して原稿給送部７０による原稿の搬送動作と同期して原稿の画像を取得し、その画像データを後述する制御部１０へ出力する。
【００４９】
原稿給送部７０は、原稿を載置するための原稿載置部７１と、画像読み取り済みの原稿を排出するための原稿排出部７２と、原稿載置部７１に載置された原稿を１枚ずつ繰り出して原稿読取スリット５３に対向する位置へ搬送し、原稿排出部７２へ排出する原稿搬送機構７３と、を備えている。
【００５０】
本体部１００は、画像形成部２Ｃ、２Ｍ、２Ｙ、２Ｋと、給紙部１５０と、定着部１６０と、排出部１７０と、除電クリーニング部１８０と、制御部１０と、電源部２０と、を備えている。
【００５１】
画像形成部２Ｃ、２Ｍ、２Ｙ、２Ｋは、それぞれ、シアン（Ｃ）、マゼンタ（Ｍ）、イエロー（Ｙ）及び黒（Ｋ）の各色の画像を用紙に形成する。画像形成部２Ｃは、交換ユニット８Ｃ、帯電部４Ｃ、露光部５Ｃ、トナー供給部６０Ｃ、現像部６Ｃ、及びクリーニング部７Ｃを備えている。同様に、画像形成部２Ｍは、交換ユニット８Ｍ、帯電部４Ｍ、露光部５Ｍ、トナー供給部６０Ｍ、現像部６Ｍ、及びクリーニング部７Ｍを備えている。画像形成部２Ｙは、交換ユニット８Ｙ、帯電部４Ｙ、露光部５Ｙ、トナー供給部６０Ｙ、現像部６Ｙ、及びクリーニング部７Ｙを備えている。画像形成部２Ｋは、交換ユニット８Ｋ、帯電部４Ｋ、露光部５Ｋ、トナー供給部６０Ｋ、現像部６Ｋ、及びクリーニング部７Ｋを備えている。
【００５２】
交換ユニット８Ｃ、８Ｍ、８Ｙ、８Ｋは、本体部１００における図１の紙面表側に設けられた図略のカバーを開いて本体部１００に対して着脱可能に構成されている。交換ユニット８Ｃは感光体ドラム３Ｃを含み、交換ユニット８Ｍは感光体ドラム３Ｍを含み、交換ユニット８Ｙは感光体ドラム３Ｙを含み、交換ユニット８Ｋは感光体ドラム３Ｋを含んでいる。
【００５３】
以下では、画像形成部２Ｃ、２Ｍ、２Ｙ、２Ｋを総称して説明する場合に、画像形成部２と示し、感光体ドラム３Ｃ、３Ｍ、３Ｙ、３Ｋを総称して説明する場合に、感光体ドラム３と示す。また、帯電部４Ｃ、４Ｍ、４Ｙ、４Ｋを総称して説明する場合に、帯電部４と示し、露光部５Ｃ、５Ｍ、５Ｙ、５Ｋを総称して説明する場合に、露光部５と示す。また、トナー供給部６０Ｃ、６０Ｍ、６０Ｙ、６０Ｋを総称して説明する場合に、トナー供給部６０と示し、現像部６Ｃ、６Ｍ、６Ｙ、６Ｋを総称して説明する場合に、現像部６と示し、クリーニング部７Ｃ、７Ｍ、７Ｙ、７Ｋを総称して説明する場合に、クリーニング部７と示す。
【００５４】
感光体ドラム３は、例えば、アモルファスシリコンから成る感光層が積層された表面を有し、図略のモーターによって回転動作する。
【００５５】
帯電部４は、回転動作する感光体ドラム３の表面全体を均一に所定電位に帯電させる。露光部５は、制御部１０による制御のもと、制御部１０に入力された画像データに基づいてレーザー光を感光体ドラム３の表面に照射し、感光体ドラム３の表面上に静電潜像を形成する。
【００５６】
トナー供給部６０Ｃ、６０Ｍ、６０Ｙ、６０Ｋは、それぞれ、シアン（Ｃ）、マゼンタ（Ｍ）、イエロー（Ｙ）及び黒（Ｋ）の各色のトナーを収容している。トナー供給部６０は、図略のスクリューフィーダーを回転動作させることによってトナーを搬送し、現像部６に通ずる図略のトナー供給口を介して現像部６にトナーを供給する。
【００５７】
現像部６は、感光体ドラム３に対向する位置に配置された図略の現像ローラーを備えている。現像部６は、現像ローラーを回転動作させることによって、トナー供給部６０から供給されたトナーを現像ローラーの周面に担持させ、現像ローラーの周面に担持させたトナーを感光体ドラム３に形成された静電潜像に付着させることで、トナー像として静電潜像を顕在化させる。
【００５８】
クリーニング部７は、後述する中間ベルト１９０へのトナー画像の一次転写終了後、中間ベルト１９０に転写されずに感光体ドラム３の表面に残存したトナーを除去する。
【００５９】
また、画像形成部２Ｃ、２Ｍ、２Ｙ、２Ｋの下方には、それぞれ、感光体ドラム３Ｃ、３Ｍ、３Ｙ、３Ｋの表面に顕在化した各色のトナー像の一次転写を行うための一次転写ローラー９Ｃ、９Ｍ、９Ｙ、９Ｋ及び中間ベルト１９０が配設されている。
【００６０】
中間ベルト１９０は、感光体ドラム３Ｃ、３Ｍ、３Ｙ、３Ｋとそれぞれ対向するように配置された一次転写ローラー９Ｃ、９Ｍ、９Ｙ、９Ｋによって感光体ドラム３Ｃ、３Ｍ、３Ｙ、３Ｋに押圧された状態で、駆動ローラー１１１、１１２、１１３によって無端回転するように構成されている。
【００６１】
感光体ドラム３Ｃ、３Ｍ、３Ｙ、３Ｋ上に形成された各色のトナー像は、回転される中間ベルト１９０上に、それぞれタイミングを合わせて、シアン、マゼンタ、イエロー及び黒の順に転写されて重ね合わされる。これにより中間ベルト１９０上にシアン、マゼンタ、イエロー、黒の４色からなるカラー画像が形成される。
【００６２】
駆動ローラー１１３と対向する位置には、中間ベルト１９０を介して２次転写ローラー１１４が設けられている。２次転写ローラー１１４は、中間ベルト１９０上に転写されたカラー画像を用紙へ転写する。
【００６３】
給紙部１５０は、用紙を収納する給紙カセット１５１と、給紙ローラー１５２と、用紙が搬送される経路である搬送路１５３と、搬送ローラー１５４とを備えている。給紙ローラー１５２は、給紙カセット１５１から用紙を１枚ずつ取り出し、取り出した用紙を２次転写ローラー１１４に向けて搬送する。搬送ローラー１５４は、２次転写ローラー１１４によってカラー画像が転写された用紙を搬送路１５３に沿って定着部１６０に向けて搬送する。
【００６４】
定着部１６０は、搬送路１５３における２次転写ローラー１１４よりも下流側に設けられている。定着部１６０は、ヒートローラー１６１と加圧ローラー１６２とを備えている。ヒートローラー１６１は、図略のヒーターによって加熱され、熱によって用紙上のトナーを溶かす。加圧ローラー１６２は、ヒートローラー１６１と対向するように配置され、ヒートローラー１６１と加圧ローラー１６２との間を通過する用紙に圧力をかけて、ヒートローラー１６１によって溶かされたトナーを用紙上に定着させる。
【００６５】
排出部１７０は、用紙が搬送される経路である搬送路１７１と、搬送ローラー１７２と、排出ローラー１７３と、排出トレイ１７４と、を備えている。搬送ローラー１７２は、定着部１６０によってトナーが定着された用紙を搬送路１７１に沿って排出ローラー１７３に向けて搬送する。排出ローラー１７３は、搬送ローラー１７２によって搬送されてきた用紙を排出トレイ１７４に排出する。
【００６６】
除電クリーニング部１８０は、中間ベルト１９０上の残留トナーを除去する。除電クリーニング部１８０は、例えば、図略のクリーニング電極及びクリーニングブラシからなり、クリーニング電極によってトナーの帯電電荷と逆極性のクリーニングバイアスをクリーニングブラシに印加し、これによる静電気力によって中間ベルト１９０上のトナーをクリーニングブラシに移動させることでトナー除去を行う。
【００６７】
また、用紙の搬送方向において駆動ローラー１１３及び２次転写ローラー１１４の上流側近傍には、用紙検知センサーＪ１が設けられている。用紙検知センサーＪ１は、例えば光透過型センサーで構成され、用紙の先端が到達したことを検知することによって、駆動ローラー１１３及び２次転写ローラー１１４に用紙が到達したことを検知し、検知したことを示す信号を制御部１０へ出力する。
【００６８】
また、用紙の搬送方向において搬送ローラー１５４の上流側近傍には、用紙検知センサーＪ２が設けられている。用紙検知センサーＪ２は、例えば光透過型センサーで構成され、用紙の先端が到達したことを検知することによって、搬送ローラー１５４に用紙が到達したことを検知し、検知したことを示す信号を制御部１０へ出力する。
【００６９】
更に、用紙の搬送方向においてヒートローラー１６１及び加圧ローラー１６２の上流側近傍には、用紙検知センサーＪ３が設けられている。用紙検知センサーＪ３は、例えば光透過型センサーで構成され、用紙の先端が到達したことを検知することによって、ヒートローラー１６１及び加圧ローラー１６２に用紙が到達したことを検知し、検知したことを示す信号を制御部１０へ出力する。
【００７０】
また、用紙の搬送方向において搬送ローラー１７２の上流側近傍には、用紙検知センサーＪ４が設けられている。用紙検知センサーＪ４は、例えば光透過型センサーで構成され、用紙の先端が到達したことを検知することによって、搬送ローラー１７２に用紙が到達したことを検知し、検知したことを示す信号を制御部１０へ出力する。
【００７１】
また、用紙の搬送方向において排出ローラー１７３の上流側近傍には、用紙検知センサーＪ５が設けられている。用紙検知センサーＪ５は、例えば光透過型センサーで構成され、用紙の先端が到達したことを検知することによって、排出ローラー１７３に用紙が到達したことを検知し、検知したことを示す信号を制御部１０へ出力する。
【００７２】
制御部１０は、複写機１全体の動作を司る。制御部１０は、例えば、所定の演算処理を実行するＣＰＵ（Ｃｅｎｔｒａｌ  Ｐｒｏｃｅｓｓｉｎｇ  Ｕｎｉｔ）と、所定の制御プログラムが記憶されたＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の不揮発性メモリーと、データを一時的に記憶するＲＡＭ（Ｒａｎｄｏｍ  Ａｃｃｅｓｓ  Ｍｅｍｏｒｙ）と、これらの周辺回路等とを備えて構成されている。
【００７３】
電源部２０は、商用電源等の交流電源から供給される交流電圧を、図略のＡＣ／ＤＣコンバーターによって所定の電圧値の直流電圧に変換することによって、画像形成部２、帯電部４、露光部５、現像部６、クリーニング部７、及び用紙検知センサーＪ１〜Ｊ５の各部の動作に用いられる電源電圧を生成する。
【００７４】
次に、交換ユニット８を複写機１に取り付けるための接続関係について詳述する。図２は、複写機１における交換ユニット８に関わる部分の構成の一例を示すブロック図である。
【００７５】
例えば図２に示すように、複写機１は、交換ユニット８Ｃ、８Ｍ、８Ｙ、８Ｋと、交換ユニット８Ｃ、８Ｍ、８Ｙ、８Ｋがそれぞれ着脱可能に接続される本体コネクター９０Ｃ（第１の本体側接続部）、９０Ｍ（第３の本体側接続部）、９０Ｙ（第３の本体側接続部）、９０Ｋ（第２の本体側接続部）と、給電切替スイッチ２１（給電切替部）と、抵抗器２２と、電源部２０と、用紙検知センサーＪ１〜Ｊ５と、制御部１０とを備えている。本体コネクター９０Ｃ、９０Ｍ、９０Ｙ、９０Ｋは、本体側接続部９０を構成する。
【００７６】
尚、用紙検知センサーＪ１〜Ｊ５には、図略の給電線を介して電源部２０から電源電圧が供給されている。また、制御部１０にも、図略の給電線を介して電源部２０から電源電圧が供給されている。
【００７７】
交換ユニット８Ｃは、ユニットコネクター８０Ｃ（ユニット側接続部）と、内部ブロック８５Ｃと、を備えている。内部ブロック８５Ｃには、感光体ドラム３Ｃ（動作部）と、ＲＯＭ８６Ｃ（基準情報記憶部）と、出力部８７Ｃと、が含まれている。
【００７８】
ユニットコネクター８０Ｃは、電源端子８１Ｃ（ユニット側電源端子）と、第１接続端子８２Ｃ（第１のユニット側接続端子）と、第２接続端子８３Ｃ（第２のユニット側接続端子）と、信号端子８４Ｃと、を備え、本体コネクター９０Ｃに着脱可能に接続される。
【００７９】
電源端子８１Ｃは、本体コネクター９０Ｃに備えられた後述の電源端子９１Ｃに接続され、電源端子９１Ｃから供給される電源電圧を受電する。第１接続端子８２Ｃと第２接続端子８３Ｃは、本体コネクター９０Ｃに接続される側とは反対側の端部が互いに接続され、互いに導通する。信号端子８４Ｃは、本体コネクター９０Ｃに備えられた後述の信号端子９４Ｃに接続され、出力部８７Ｃから出力された信号を信号端子９４Ｃに伝達する。
【００８０】
感光体ドラム３Ｃは、電源端子８１Ｃによって受電された電源電圧によって動作する図略のモーターによって回転動作する。
【００８１】
ＲＯＭ８６Ｃには、例えば、感光体ドラム３Ｃの仕様によって予め定められた感光体ドラム３Ｃを回転動作させることができる最大累積稼働時間を示す情報等、感光体ドラム３Ｃの交換の要否を判断するための基準となる基準情報が記憶されている。
【００８２】
出力部８７Ｃは、ＲＯＭ８６Ｃに記憶されている基準情報を読み出し、基準情報を示す信号を信号端子８４Ｃへ出力する。
【００８３】
本体コネクター９０Ｃは、電源端子９１Ｃ（本体側電源端子）と、第１接続端子９２Ｃ（第１の本体側接続端子）と、第２接続端子９３Ｃ（第２の本体側接続端子）と、信号端子９４Ｃと、を備えている。
【００８４】
電源端子９１Ｃは、電源端子８１Ｃに接続される。また、電源端子９１Ｃは、ユニットコネクター８０Ｃに接続される側とは反対側の端部が給電切替スイッチ２１を介して電源部２０に接続されている。
【００８５】
給電切替スイッチ２１は、後述する給電制御部１４による指示の下、電源部２０から電源端子９１Ｃに向かう電流経路を導通させるオン状態と、電源部２０から電源端子９１Ｃに向かう電流経路を遮断するオフ状態と、を切り替えるスイッチである。給電切替スイッチ２１は、オン状態とオフ状態とを切り替えることによって、電源部２０から電源端子９１Ｃへの電源電圧の供給と遮断とを切り替える。
【００８６】
つまり、電源端子９１Ｃは、給電切替スイッチ２１がオン状態にある場合に、電源部２０によって生成された電源電圧を電源端子８１Ｃを介して交換ユニット８Ｃに供給する。
【００８７】
第１接続端子９２Ｃは、第１接続端子８２Ｃに接続される。第２接続端子９３Ｃは、第２接続端子８３Ｃに接続される。
【００８８】
信号端子９４Ｃは、信号端子８４Ｃに接続され、信号端子８４Ｃに接続される側とは反対側の端部が制御部１０に接続されている。つまり、信号端子９４Ｃは、信号端子８４Ｃから伝達された信号を制御部１０へ出力する。
【００８９】
交換ユニット８Ｍは、交換ユニット８Ｃと同様の構成であり、ユニットコネクター８０Ｍと、内部ブロック８５Ｍと、を備えている。内部ブロック８５Ｍには、感光体ドラム３Ｍと、ＲＯＭ８６Ｍと、出力部８７Ｍと、が含まれている。ユニットコネクター８０Ｍは、ユニットコネクター８０Ｃと同様の構成であり、電源端子８１Ｍと、第１接続端子８２Ｍと、第２接続端子８３Ｍと、信号端子８４Ｍと、を備え、本体コネクター９０Ｍに着脱可能に接続される。
【００９０】
交換ユニット８Ｙは、交換ユニット８Ｃと同様の構成であり、ユニットコネクター８０Ｙと、内部ブロック８５Ｙと、を備えている。内部ブロック８５Ｙには、感光体ドラム３Ｙと、ＲＯＭ８６Ｙと、出力部８７Ｙと、が含まれている。ユニットコネクター８０Ｙは、ユニットコネクター８０Ｃと同様の構成であり、電源端子８１Ｙと、第１接続端子８２Ｙと、第２接続端子８３Ｙと、信号端子８４Ｙと、を備え、本体コネクター９０Ｙに着脱可能に接続される。
【００９１】
交換ユニット８Ｋは、交換ユニット８Ｃと同様の構成であり、ユニットコネクター８０Ｋと、内部ブロック８５Ｋと、を備えている。内部ブロック８５Ｋには、感光体ドラム３Ｋと、ＲＯＭ８６Ｋと、出力部８７Ｋと、が含まれている。ユニットコネクター８０Ｋは、ユニットコネクター８０Ｃと同様の構成であり、電源端子８１Ｋと、第１接続端子８２Ｋと、第２接続端子８３Ｋと、信号端子８４Ｋと、を備え、本体コネクター９０Ｋに着脱可能に接続される。
【００９２】
本体コネクター９０Ｍ（第３の本体側接続部）は、本体コネクター９０Ｃと同様の構成であり、電源端子９１Ｍと、第１接続端子９２Ｍと、第２接続端子９３Ｍと、信号端子９４Ｍと、を備えている。電源端子９１Ｍは、給電切替スイッチ２１を介して電源部２０に接続されており、給電切替スイッチ２１がオン状態にある場合に、電源部２０によって生成された電源電圧を電源端子８１Ｍを介して交換ユニット８Ｍに供給する。
【００９３】
本体コネクター９０Ｙ（第３の本体側接続部）は、本体コネクター９０Ｃと同様の構成であり、電源端子９１Ｙと、第１接続端子９２Ｙと、第２接続端子９３Ｙと、信号端子９４Ｙと、を備えている。電源端子９１Ｙは、給電切替スイッチ２１を介して電源部２０に接続されており、給電切替スイッチ２１がオン状態にある場合に、電源部２０によって生成された電源電圧を電源端子８１Ｙを介して交換ユニット８Ｙに供給する。
【００９４】
本体コネクター９０Ｋ（第２の本体側接続部）は、本体コネクター９０Ｃと同様の構成であり、電源端子９１Ｋと、第１接続端子９２Ｋと、第２接続端子９３Ｋと、信号端子９４Ｋと、を備えている。電源端子９１Ｋは、給電切替スイッチ２１を介して電源部２０に接続されており、給電切替スイッチ２１がオン状態にある場合に、電源部２０によって生成された電源電圧を電源端子８１Ｋを介して交換ユニット８Ｋに供給する。
【００９５】
また、本体コネクター９０Ｃの第１接続端子９２Ｃは、ユニットコネクター８０Ｃと接続される側とは反対側の端部が、配線部Ｌ０を介して制御部１０に接続されている。配線部Ｌ０は、抵抗器２２を介して電源部２０と接続されている。また、本体コネクター９０Ｋの第２接続端子９３Ｋは、ユニットコネクター８０Ｋに接続される側とは反対側の端部が、グランドに接続されている。
【００９６】
また、複写機１は、本体コネクター９０Ｃの第２接続端子９３Ｃにおけるユニットコネクター８０Ｃと接続される側とは反対側の端部と、本体コネクター９０Ｍの第１接続端子９２Ｍにおけるユニットコネクター８０Ｍと接続される側とは反対側の端部と、を接続する配線部Ｌ１（第１の配線部）を備えている。
【００９７】
また、複写機１は、本体コネクター９０Ｍの第２接続端子９３Ｍにおけるユニットコネクター８０Ｍと接続される側とは反対側の端部と、本体コネクター９０Ｙの第１接続端子９２Ｙにおけるユニットコネクター８０Ｙと接続される側とは反対側の端部と、を接続する配線部Ｌ３（第３の配線部）を備えている。
【００９８】
また、複写機１は、本体コネクター９０Ｙの第２接続端子９３Ｙにおけるユニットコネクター８０Ｙと接続される側とは反対側の端部と、本体コネクター９０Ｋの第１接続端子９２Ｋにおけるユニットコネクター８０Ｋと接続される側とは反対側の端部と、を接続する配線部Ｌ２（第２の配線部）を備えている。
【００９９】
したがって、本体コネクター９０Ｃにユニットコネクター８０Ｃが装着されると、電源部２０から抵抗器２２を介して、本体コネクター９０Ｃの第１接続端子９２Ｃ、ユニットコネクター８０Ｃの第１接続端子８２Ｃ、ユニットコネクター８０Ｃの第２接続端子８３Ｃ、本体コネクター９０Ｃの第２接続端子９３Ｃ、を順に通る電流の導通経路が形成される。更に、配線部Ｌ１によって、本体コネクター９０Ｃの第２接続端子９３Ｃから本体コネクター９０Ｍの第１接続端子９２Ｍに至る電流の導通経路が形成される。
【０１００】
また、本体コネクター９０Ｍにユニットコネクター８０Ｍが装着されると、本体コネクター９０Ｍの第１接続端子９２Ｍ、ユニットコネクター８０Ｍの第１接続端子８２Ｍ、ユニットコネクター８０Ｍの第２接続端子８３Ｍ、本体コネクター９０Ｍの第２接続端子９３Ｍを順に通る電流の導通経路が形成される。更に、配線部Ｌ３によって、本体コネクター９０Ｍの第２接続端子９３Ｍから本体コネクター９０Ｙの第１接続端子９２Ｙに至る電流の導通経路が形成される。
【０１０１】
また、本体コネクター９０Ｙにユニットコネクター８０Ｙが装着されると、本体コネクター９０Ｙの第１接続端子９２Ｙ、ユニットコネクター８０Ｙの第１接続端子８２Ｙ、ユニットコネクター８０Ｙの第２接続端子８３Ｙ、本体コネクター９０Ｙの第２接続端子９３Ｙを順に通る電流の導通経路が形成される。更に、配線部Ｌ２によって、本体コネクター９０Ｙの第２接続端子９３Ｙから本体コネクター９０Ｋの第１接続端子９２Ｋに至る電流の導通経路が形成される。
【０１０２】
そして、本体コネクター９０Ｋにユニットコネクター８０Ｋが装着されると、本体コネクター９０Ｋの第１接続端子９２Ｋ、ユニットコネクター８０Ｋの第１接続端子８２Ｋ、ユニットコネクター８０Ｋの第２接続端子８３Ｋ、本体コネクター９０Ｋの第２接続端子９３Ｋを順に通り、グランドに至る電流の導通経路が形成される。
【０１０３】
つまり、４つのユニットコネクター８０Ｃ、８０Ｍ、８０Ｙ、８０Ｋの全てがそれぞれに対応する本体コネクター９０Ｃ、９０Ｍ、９０Ｙ、９０Ｋに装着された場合には、本体コネクター９０Ｃの第１接続端子９２Ｃと本体コネクター９０Ｋの第２接続端子９３Ｋとの間に、４つの本体コネクター９０Ｃ、９０Ｍ、９０Ｙ、９０Ｋに含まれる全ての第１接続端子９２Ｃ、９２Ｍ、９２Ｙ、９２Ｋ及び第２接続端子９３Ｃ、９３Ｍ、９３Ｙ、９３Ｋと、４つのユニットコネクター８０Ｃ、８０Ｍ、８０Ｙ、８０Ｋに含まれる全ての第１接続端子８２Ｃ、８２Ｍ、８２Ｙ、８２Ｋ及び第２接続端子８３Ｃ、８３Ｍ、８３Ｙ、８３Ｋと、を通る電流の導通経路が形成される。このため、４つのユニットコネクター８０Ｃ、８０Ｍ、８０Ｙ、８０Ｋのうちの何れかが、それぞれに対応する本体コネクター９０Ｃ、９０Ｍ、９０Ｙ、９０Ｋに装着されていない場合には、上記の電流の導通経路がどこかで遮断されることとなる。
【０１０４】
尚、以下では、交換ユニット８Ｃ、８Ｍ、８Ｙ、８Ｋを総称して説明する場合に、交換ユニット８と示す。
【０１０５】
また、ユニットコネクター８０Ｃ、８０Ｍ、８０Ｙ、８０Ｋを総称して説明する場合に、ユニットコネクター８０と示し、内部ブロック８５Ｃ、８５Ｍ、８５Ｙ、８５Ｋを総称して説明する場合に、内部ブロック８５と示す。
【０１０６】
また、電源端子８１Ｃ、８１Ｍ、８１Ｙ、８１Ｋを総称して説明する場合に、電源端子８１と示し、第１接続端子８２Ｃ、８２Ｍ、８２Ｙ、８２Ｋを総称して説明する場合に、第１接続端子８２と示し、第２接続端子８３Ｃ、８３Ｍ、８３Ｙ、８３Ｋを総称して説明する場合に、第２接続端子８３と示し、信号端子８４Ｃ、８４Ｍ、８４Ｙ、８４Ｋを総称して説明する場合に、信号端子８４と示す。また、ＲＯＭ８６Ｃ、８６Ｍ、８６Ｙ、８６Ｋを総称して説明する場合に、ＲＯＭ８６と示し、出力部８７Ｃ、８７Ｍ、８７Ｙ、８７Ｋを総称して説明する場合に、出力部８７と示す。
【０１０７】
また、電源端子９１Ｃ、９１Ｍ、９１Ｙ、９１Ｋを総称して説明する場合に、電源端子９１と示し、第１接続端子９２Ｃ、９２Ｍ、９２Ｙ、９２Ｋを総称して説明する場合に、第１接続端子９２と示し、第２接続端子９３Ｃ、９３Ｍ、９３Ｙ、９３Ｋを総称して説明する場合に、第２接続端子９３と示し、信号端子９４Ｃ、９４Ｍ、９４Ｙ、９４Ｋを総称して説明する場合に、信号端子９４と示す。
【０１０８】
制御部１０は、不揮発性メモリーの記憶領域の一部を履歴情報記憶部１１として用いる。また、制御部１０は、不揮発性メモリーに記憶された制御プログラムを実行することによって、動作制御部１２、着脱要否判断部１３、給電制御部１４、導通検出部１５及び異常検出部１６を構成する。尚、履歴情報記憶部１１、動作制御部１２、着脱要否判断部１３、給電制御部１４、及び導通検出部１５の詳細については後述する。
【０１０９】
異常検出部１６は、用紙の搬送経路内で紙詰まりが発生したことを検出する。具体的には、異常検出部１６は、用紙の搬送経路に設けられた５つの用紙検知センサーＪ１〜Ｊ５（図１）のうち、連続して配設された２つの用紙検知センサーによって用紙の到達がそれぞれ検知された時点の時間差を計測する。そして、計測した時間差が、当該２つの用紙検知センサーの組み合わせに応じて予め定められた時間以上であった場合に、用紙の搬送経路における当該２つの用紙検知センサーを両端とする区間で紙詰まりが発生したことを検出する。尚、２つの用紙検知センサーの組み合わせに応じて予め定められた時間には、例えば試験運転等の実験値に基づいて、用紙を当該２つの用紙検知センサーを両端とする区間搬送するのに要する時間が設定されている。
【０１１０】
例えば、用紙検知センサーＪ１（図１）によって用紙の先端が到達することが検知された時刻をｔ１とし、その後、用紙検知センサーＪ２（図１）によって用紙の先端が到達したことが検知された時刻をｔ２とすると、異常検出部１６は、時刻ｔ１と時刻ｔ２の時間差を計測する。そして、計測した時間差が、用紙検知センサーＪ１と用紙検知センサーＪ２の組み合わせに応じて予め定められた時間、つまり、用紙を用紙検知センサーＪ１と用紙検知センサーＪ２とを両端とする区間搬送するのに要する時間として予め定められた時間以上であった場合に、用紙検知センサーＪ１と用紙検知センサーＪ２とを両端とする区間内で紙詰まりが発生したことを検出する。
【０１１１】
以下では、ユーザーが交換ユニット８を複写機１から取り外すときの複写機１の動作について説明する。そして、当該説明の中で、履歴情報記憶部１１、動作制御部１２、着脱要否判断部１３、及び給電制御部１４の詳細について説明する。図３は、ユーザーが交換ユニット８を複写機１から取り外すときの複写機１の動作の一例を示すフローチャートである。図４は、交換ユニット８の取り外しを促す情報が表示された表示部３１の一例を示す説明図である。
【０１１２】
図３に示すように、４つのユニットコネクター８０Ｃ、８０Ｍ、８０Ｙ、８０Ｋがそれぞれ本体コネクター９０Ｃ、９０Ｍ、９０Ｙ、９０Ｋに装着されている場合において、例えば、ユーザーによる操作部３０の操作によって画像を用紙に形成させる印刷ジョブの実行指示が入力されると、動作制御部１２は、当該実行指示を受け付け（Ｓ１）、受け付けた実行指示に基づいて、画像形成部２Ｃ、２Ｍ、２Ｙ、２Ｋによって画像を用紙に形成させ、排出部１７０によって画像が形成された用紙を排出させる印刷処理を実行する（Ｓ２）。
【０１１３】
そして、動作制御部１２は、ステップＳ２における印刷処理の実行によって、感光体ドラム３Ｃを回転動作させた稼動時間を累積加算し、累積加算した結果である累積稼動時間を示す情報を、感光体ドラム３Ｃを回転動作させた履歴に関する情報である履歴情報として履歴情報記憶部１１に記憶する。同様に、動作制御部１２は、感光体ドラム３Ｍ、３Ｙ、３Ｋを回転動作させた稼動時間をそれぞれ累積加算し、各累積加算した結果の累積稼動時間を示す情報を、それぞれ、感光体ドラム３Ｍ、３Ｙ、３Ｋを回転動作させた履歴に関する情報である履歴情報として履歴情報記憶部１１に記憶する（Ｓ３）。
【０１１４】
次に、着脱要否判断部１３は、交換ユニット８Ｃの出力部８７Ｃによって、ＲＯＭ８６Ｃに記憶されている基準情報を示す信号を信号端子８４Ｃへ出力させ、信号端子８４Ｃから信号端子９４Ｃを介して入力された信号によって示される基準情報を取得する。同様に、着脱要否判断部１３は、交換ユニット８Ｍ、８Ｙ、８Ｋの出力部８７Ｍ、８７Ｙ、８７Ｋによって、それぞれ、ＲＯＭ８６Ｍ、８６Ｙ、８６Ｋに記憶されている基準情報を示す信号を信号端子８４Ｍ、８４Ｙ、８４Ｋへ出力させ、信号端子８４Ｍ、８４Ｙ、８４Ｋから信号端子９４Ｍ、９４Ｙ、９４Ｋを介して入力された各信号によってそれぞれ示される各基準情報を取得する（Ｓ４）。
【０１１５】
そして、着脱要否判断部１３は、ステップＳ３において履歴情報記憶部１１に記憶された履歴情報によって示される感光体ドラム３Ｃ、３Ｍ、３Ｙ、３Ｋの各累積稼動時間が、ステップＳ４において取得された基準情報によって示される感光体ドラム３Ｃ、３Ｍ、３Ｙ、３Ｋの各最大累積稼働時間以上であるか否かを判定する（Ｓ５）。
【０１１６】
そして、着脱要否判断部１３は、ステップＳ５において、感光体ドラム３Ｃ、３Ｍ、３Ｙ、３Ｋのうちに、累積稼動時間が最大累積稼働時間以上になっている感光体ドラムがなかった場合は（Ｓ６；ＮＯ）、寿命に達している感光体ドラム３が存在せず、交換が必要な交換ユニット８は存在しないと考えられるので、再び画像形成部２に動作を行わせるべく、ステップＳ１に処理を移行させる。
【０１１７】
一方、着脱要否判断部１３は、ステップＳ５において、感光体ドラム３Ｃ、３Ｍ、３Ｙ、３Ｋのうちに、累積稼動時間が最大累積稼働時間以上になっている感光体ドラムが有った場合（Ｓ６；ＹＥＳ）、累積稼動時間が最大累積稼働時間以上になっている感光体ドラムを特定する。そして、その特定された感光体ドラムは寿命に達していると考えられるので、着脱要否判断部１３は、その特定した感光体ドラム３を交換するために、その特定した感光体ドラム３を含む交換ユニット８を交換のために取り外す必要があると判断する（Ｓ７）。
【０１１８】
ステップＳ７において、着脱要否判断部１３によって交換ユニット８を取り外す必要があると判断されると、給電制御部１４は、給電切替スイッチ２１をオフ状態に切り替える（Ｓ８）。これによって、電源部２０から電源端子９１への電源電圧の供給が遮断され、電源端子８１において電源電圧が受電されなくなる。
【０１１９】
そして、給電制御部１４は、着脱要否判断部１３によって取り外しが必要と判断された交換ユニット８の取り外しを促す情報を表示部３１に表示させる（Ｓ９）。
【０１２０】
例えば、ステップＳ７において、着脱要否判断部１３によって感光体ドラム３Ｋを含む交換ユニット８Ｋの取り外しが必要と判断された場合、給電制御部１４は、ステップＳ９において、例えば図４に示すように、感光体ドラム３Ｋを含む交換ユニット８Ｋ（図４における、「ドラム（Ｋ）」とラベルが付されたユニット）の取り外しを促す情報Ｍを表示部３１に表示させる。
【０１２１】
尚、給電制御部１４は、ステップＳ９において、着脱要否判断部１３によって取り外しが必要と判断された交換ユニット８の取り外しを促す情報を表示部３１に表示させる代わりに、或いは、着脱要否判断部１３によって取り外しが必要と判断された交換ユニット８の取り外しを促す情報を表示部３１に表示させることに加えて、着脱要否判断部１３によって取り外しが必要と判断された交換ユニット８の取り外しを促す情報を示す音声をスピーカー３３に出力させるように構成してもよい。
【０１２２】
このように、第１実施形態の構成によれば、着脱要否判断部１３によって交換ユニット８の取り外しが必要と判断された場合に、電源部２０から電源端子９１への電源電圧の供給が遮断されるので、電源端子８１において電源電圧が受電されなくなる。また、着脱要否判断部１３によって交換ユニット８の取り外しが必要と判断された場合には、表示部３１に交換ユニット８の取り外しを促す情報が表示される。
【０１２３】
このため、ユーザーは、交換ユニット８の取り外しが必要であることに気付き、交換ユニット８を取り外すことができる。そして、ユーザーによって交換ユニット８が取り外されるときには、交換ユニット８は、電源電圧を受電していない状態になっているので、交換ユニット８の取り外しのためにユニットコネクター８０が本体側接続部９０から取り外されるときに、電源端子８１にサージ電圧が生じる虞が軽減される。これによって、交換ユニット８を損傷させる虞が軽減される。
【０１２４】
このように、第１実施形態の構成によれば、ユニットコネクター８０及び本体側接続部９０に例えば巻きバネや先当りピン等の特殊な機構を設ける必要がないので、交換ユニット８を取り外す際に交換ユニット８が損傷する虞を低減するためのコストを低減することができる。
【０１２５】
また、第１実施形態の構成によれば、着脱要否判断部１３は、履歴情報記憶部１１に記憶された履歴情報によって示される累積稼動時間が、ＲＯＭ８６に記憶された基準情報とによって示される最大累積稼動時間以上になっているか否かによって、感光体ドラム３の交換の要否を判断することができる。これによって、着脱要否判断部１３は、感光体ドラム３の交換が必要であると判断した場合には、その感光体ドラム３を含む交換ユニット８の交換が必要であると考えられるので、その交換ユニット８を交換するために取り外しが必要であることを適切に判断することができる。
【０１２６】
続いて、ユーザーが感光体ドラム３を含む交換ユニット８を複写機１に装着するときの複写機１の動作について説明する。そして、当該説明の中で、導通検出部１５の詳細について説明する。図５は、ユーザーが交換ユニット８を複写機１に装着するときの複写機１の動作の一例を示すフローチャートである。
【０１２７】
図５に示すように、導通検出部１５は、電源部２０（図２）から抵抗器２２（図２）を介して印加される電圧値Ｖｓを測定し、測定した電圧値Ｖｓが所定の基準電圧値Ｖｔｈを下回るか否かによって、第１接続端子９２Ｃ（図２）と第２接続端子９３Ｋ（図２）との間の導通の有無を検出する（Ｓ２１）。
【０１２８】
例えば、ユニットコネクター８０Ｃ、８０Ｍ、８０Ｙ、８０Ｋがそれぞれ本体コネクター９０Ｃ、９０Ｍ、９０Ｙ、９０Ｋに装着されている場合、電源部２０から、抵抗器２２、第１接続端子９２Ｃ、交換ユニット８Ｃ、８Ｍ、８Ｙ、８Ｋ、及び第２接続端子９３Ｋを介してグランドに至る電流の導通経路は遮断されていない。この場合、第１接続端子９２Ｃがグランドに接続されるので、第１接続端子９２Ｃの電圧値がグランドレベルになり、測定した電圧値Ｖｓが所定の基準電圧値Ｖｔｈを下回る。これによって、導通検出部１５は、第１接続端子９２Ｃと第２接続端子９３Ｋとの間が導通していることを検出する。
【０１２９】
一方、ユニットコネクター８０Ｃ、８０Ｍ、８０Ｙ、８０Ｋのうちの何れかが本体コネクター９０Ｃ、９０Ｍ、９０Ｙ、９０Ｋに装着されていない場合、電源部２０から、抵抗器２２、第１接続端子９２Ｃ、交換ユニット８Ｃ、８Ｍ、８Ｙ、８Ｋ、及び第２接続端子９３Ｋを介してグランドに至る電流の導通経路がどこかで遮断される。この場合、電源部２０から抵抗器２２を介して第１接続端子９２Ｃに向けて電流が流れなくなり、測定した電圧値Ｖｓが所定の基準電圧値Ｖｔｈを下回らない。これによって、導通検出部１５は、第１接続端子９２Ｃと第２接続端子９３Ｋとの間が導通していないことを検出する。
【０１３０】
ステップＳ２１において、第１接続端子９２Ｃと第２接続端子９３Ｋとの間が導通していることが検出された場合（Ｓ２１；ＹＥＳ）、電源部２０から、抵抗器２２、第１接続端子９２Ｃ、交換ユニット８Ｃ、８Ｍ、８Ｙ、８Ｋ、及び第２接続端子９３Ｋを介してグランドに至る電流の導通経路が導通しており、つまり、４つのユニットコネクター８０Ｃ、８０Ｍ、８０Ｙ、８０Ｋがそれぞれ本体コネクター９０Ｃ、９０Ｍ、９０Ｙ、９０Ｋに装着されていると考えられる。そこで、給電制御部１４は、給電切替スイッチ２１をオン状態に切り替える（Ｓ２２）。これによって、電源部２０から電源端子９１への電源電圧の供給が開始され、電源端子８１において電源電圧が受電されるようになり、交換ユニット８Ｃ、８Ｍ、８Ｙ、８Ｋに含まれる感光体ドラム３Ｃ、３Ｍ、３Ｙ、３Ｋを回転動作させることができるようになる。
【０１３１】
一方、導通検出部１５は、ステップＳ２１において第１接続端子９２Ｃと第２接続端子９３Ｋとの間が導通していることを検出していない間は（Ｓ２１；ＮＯ）、電源部２０から、抵抗器２２、第１接続端子９２Ｃ、交換ユニット８Ｃ、８Ｍ、８Ｙ、８Ｋ、及び第２接続端子９３Ｋを介してグランドに至る電流の導通経路がどこかで遮断されており、つまり、４つのユニットコネクター８０Ｃ、８０Ｍ、８０Ｙ、８０Ｋのうちの何れかが本体側接続部９０に装着されていないと考えられる。そこで、導通検出部１５は、４つのユニットコネクター８０Ｃ、８０Ｍ、８０Ｙ、８０Ｋが全て、それぞれに対応する本体コネクター９０Ｃ、９０Ｍ、９０Ｙ、９０Ｋに装着されることを検出すべく、再びステップＳ２１に処理を移行する。
【０１３２】
このように、第１実施形態の構成によれば、導通検出部１５によって、本体コネクター９０Ｃの第１接続端子９２Ｃと本体コネクター９０Ｋの第２接続端子９３Ｋとの間の導通、即ち、４つのユニットコネクター８０に含まれる全ての第１接続端子８２及び第２接続端子８３と、本体側接続部９０に含まれる全ての第１接続端子９２及び第２接続端子９３と、を通る電流の導通経路の導通の有無を検出することによって、適切に、４つのユニットコネクター８０の全てが本体側接続部９０に装着されたか否かを検知することができる。
【０１３３】
そして、本体コネクター９０Ｃの第１接続端子９２Ｃと本体コネクター９０Ｋの第２接続端子９３Ｋとの間の導通が検出された場合に、つまり、４つのユニットコネクター８０の全てが本体側接続部９０に装着された後に、電源部２０から電源端子９１への電源電圧の供給が開始される。つまり、交換ユニット８Ｃ、８Ｍ、８Ｙ、８Ｋのうち、一つでも本体コネクター９０Ｃ、９０Ｍ、９０Ｙ、９０Ｋに装着されていない交換ユニットがあれば、本体コネクター９０Ｃ、９０Ｍ、９０Ｙ、９０Ｋには電源電圧は供給されない。したがって、電源電圧が供給された状態の本体コネクター９０Ｃ、９０Ｍ、９０Ｙ、９０Ｋに交換ユニット８Ｃ、８Ｍ、８Ｙ、８Ｋが装着されることがない。これによって、本体側接続部９０に装着された交換ユニット８の電源端子８１にサージ電圧が生じる虞が軽減され、当該交換ユニット８を損傷させる虞が軽減される。
【０１３４】
〔第２実施形態〕
第１実施形態では、交換ユニットの一例として、感光体ドラム３を含む交換ユニット８について説明したが、これと同様にして、トナー供給部６０を含む交換ユニットを構成し、当該トナー供給部６０を含む交換ユニットを複写機１に対して着脱可能に構成してもよい。
【０１３５】
以下、トナー供給部６０を含む交換ユニットを複写機１に取り付けるための接続関係について詳述する。図６は、複写機１におけるトナー供給部６０Ｃ、６０Ｍ、６０Ｙ、６０Ｋを含む交換ユニット８００Ｃ、８００Ｍ、８００Ｙ、８００Ｋに関わる部分の構成の一例を示すブロック図である。尚、図６において、図２に示したものと同じ構成のブロックについては図２と同じ符号を用い、その説明を省略する。
【０１３６】
図６に示すように、交換ユニット８００Ｃは、図２に示した交換ユニット８Ｃとは、内部ブロック８５Ｃの代わりに内部ブロック８５０Ｃを備える点が異なる。内部ブロック８５０Ｃには、トナー供給部６０Ｃ（動作部）と、ＲＯＭ８６０Ｃ（基準情報記憶部）と、出力部８７０Ｃと、残量検出部８８０Ｃと、が含まれている。
【０１３７】
同様に、交換ユニット８００Ｍは、図２に示した交換ユニット８Ｍとは、内部ブロック８５Ｍの代わりに内部ブロック８５０Ｍを備える点が異なる。内部ブロック８５０Ｍには、トナー供給部６０Ｍと、ＲＯＭ８６０Ｍと、出力部８７０Ｍと、残量検出部８８０Ｍと、が含まれている。交換ユニット８００Ｙは、図２に示した交換ユニット８Ｙとは、内部ブロック８５Ｙの代わりに内部ブロック８５０Ｙを備える点が異なる。内部ブロック８５０Ｙには、トナー供給部６０Ｙと、ＲＯＭ８６０Ｙと、出力部８７０Ｙと、残量検出部８８０Ｙと、が含まれている。交換ユニット８００Ｋは、図２に示した交換ユニット８Ｋとは、内部ブロック８５Ｋの代わりに内部ブロック８５０Ｋを備える点が異なる。内部ブロック８５０Ｋには、トナー供給部６０Ｋと、ＲＯＭ８６０Ｋと、出力部８７０Ｋと、残量検出部８８０Ｋと、が含まれている。内部ブロック８５０Ｃ、８５０Ｍ、８５０Ｙ、８５０Ｋは、供給するトナーの色が異なる点を除き、互いに同様の構成を有する。
【０１３８】
以下では、交換ユニット８００Ｃ、８００Ｍ、８００Ｙ、８００Ｋを総称して説明する場合に、交換ユニット８００と示し、内部ブロック８５０Ｃ、８５０Ｍ、８５０Ｙ、８５０Ｋを総称して説明する場合に、内部ブロック８５０と示す。
【０１３９】
また、ＲＯＭ８６０Ｃ、８６０Ｍ、８６０Ｙ、８６０Ｋを総称して説明する場合に、ＲＯＭ８６０と示し、出力部８７０Ｃ、８７０Ｍ、８７０Ｙ、８７０Ｋを総称して説明する場合に、出力部８７０と示し、残量検出部８８０Ｃ、８８０Ｍ、８８０Ｙ、８８０Ｋを総称して説明する場合に、残量検出部８８０と示す。
【０１４０】
トナー供給部６０は、電源電圧によってスクリューフィーダーを動作させることによって、各色のトナーを現像部６（図１）に供給する動作を行う。
【０１４１】
ＲＯＭ８６０には、トナー供給部６０の交換の要否を判断するための基準となる基準情報として、例えば、トナー供給部６０の仕様によって予め定められた、印刷処理に最低限必要なトナー残量を示す情報が記憶されている。
【０１４２】
出力部８７０は、ＲＯＭ８６０に記憶されている基準情報を読み出し、基準情報を示す信号を信号端子８４へ出力する。
【０１４３】
残量検出部８８０は、トナー供給部６０に収容されているトナーの残量を検出し、検出したトナーの残量を示す信号を信号端子８４に出力する。
【０１４４】
以下では、ユーザーがトナー供給部６０を含む交換ユニット８００を複写機１から取り外すときの複写機１の動作について説明する。図７は、ユーザーがトナー供給部６０を含む交換ユニット８００を複写機１から取り外すときの複写機１の動作の一例を示すフローチャートである。尚、図７において、図３に示したものと同じ処理内容のステップについては図３と同じ符号を用い、その説明を省略する。
【０１４５】
図７に示すように、ユーザーがトナー供給部６０を含む交換ユニット８００を複写機１から取り外すときの複写機１の動作は、図３に示したユーザーが感光体ドラム３を含む交換ユニット８を複写機１から取り外すときの複写機１の動作とは、交換ユニット８の交換要否を判断するステップＳ３からステップＳ７の代わりに、トナー供給部６０を含む交換ユニット８００の交換要否を判断するステップＳ３１からステップＳ３６を実行する点が異なる。
【０１４６】
動作制御部１２は、ステップＳ２における印刷処理の実行後、交換ユニット８００Ｃの残量検出部８８０Ｃによって、トナー供給部６０Ｃに収容されているシアン色のトナーの残量を示す信号を信号端子８４Ｃへ出力させ、信号端子８４Ｃから信号端子９４Ｃを介して入力された信号によって示されるシアン色のトナーの残量を示す情報を取得する。同様に、動作制御部１２は、残量検出部８８０Ｍ、８８０Ｙ、８８０Ｋによって、それぞれ、トナー供給部６０Ｍ、６０Ｙ、６０Ｋに収容されているマゼンタ、イエロー、シアン色のトナーの残量を示す信号を信号端子８４Ｍ、８４Ｙ、８４Ｋへ出力させる。そして、動作制御部１２は、信号端子８４Ｍ、８４Ｙ、８４Ｋから、それぞれ、信号端子９４Ｍ、９４Ｙ、９４Ｋを介して入力された信号によって示されるマゼンタ、イエロー、シアン色のトナーの残量を示す情報を取得する（Ｓ３１）。
【０１４７】
そして、動作制御部１２は、ステップＳ３１で取得した各色のトナーの残量を示す情報を履歴情報として履歴情報記憶部１１に記憶する（Ｓ３２）。つまり、トナー供給部６０によって各色のトナーを現像部６に供給させる動作を行わせると、トナー供給部６０に収容されている各色のトナーの残量が減少するため、トナー供給部６０に収容されている各色のトナーの残量を、トナー供給部６０によって各色のトナーを現像部６に供給させる動作を行わせたことの履歴に関する情報である履歴情報としている。
【０１４８】
そして、着脱要否判断部１３は、ステップＳ４（図３）と同様にして、ＲＯＭ８６０Ｃ、８６０Ｍ、８６０Ｙ、８６０Ｋにそれぞれ記憶されている基準情報を取得した後（Ｓ３３）、履歴情報記憶部１１に記憶された履歴情報によって示されるトナー供給部６０Ｃ、６０Ｍ、６０Ｙ、６０Ｋの各色のトナーの残量が、ステップＳ３３において取得した基準情報によって示される印刷処理に最低限必要なトナー供給部６０Ｃ、６０Ｍ、６０Ｙ、６０Ｋの各色のトナーの残量を下回っているか否かを判定する（Ｓ３４）。
【０１４９】
そして、着脱要否判断部１３は、ステップＳ３４において、トナー供給部６０Ｃ、６０Ｍ、６０Ｙ、６０Ｋのうちに、トナーの残量が印刷処理に最低限必要なトナーの残量を下回っているトナー供給部がなかった場合は（Ｓ３５；ＮＯ）、印刷処理に最低限必要なトナー量を現像部６へ供給することができないトナー供給部は存在せず、交換が必要な交換ユニット８００は存在しないと考えられるので、再び画像形成部２に動作を行わせるべく、ステップＳ１に処理を移行させる。
【０１５０】
一方、着脱要否判断部１３は、ステップＳ３４において、トナー供給部６０Ｃ、６０Ｍ、６０Ｙ、６０Ｋのうちに、トナーの残量が印刷処理に最低限必要なトナーの残量を下回っているトナー供給部が有った場合（Ｓ３５；ＹＥＳ）、トナーの残量が印刷処理に最低限必要なトナーの残量を下回っているトナー供給部を特定する。そして、その特定されたトナー供給部は印刷処理に最低限必要なトナー量を現像部６へ供給することができないと考えられるので、着脱要否判断部１３は、その特定したトナー供給部６０を交換するために、その特定したトナー供給部６０を含む交換ユニット８００を交換のために取り外す必要があると判断する（Ｓ３６）。そして、着脱要否判断部１３は、ステップＳ８へ処理を移行させる。
【０１５１】
トナー供給部６０を含む交換ユニット８００を複写機１に装着するときの複写機１の動作は、図５に示したユーザーが感光体ドラム３を含む交換ユニット８を複写機１に装着するときの複写機１の動作と同じ動作であるので説明を省略する。
【０１５２】
〔第３実施形態〕
また、第１実施形態及び第２実施形態と同様にして、現像部６を含む交換ユニットを構成し、当該現像部６を含む交換ユニットを複写機１に対して着脱可能に構成してもよい。
【０１５３】
以下、現像部６を含む交換ユニットを複写機１に取り付けるための接続関係について詳述する。図８は、複写機１における現像部６Ｃ、６Ｍ、６Ｙ、６Ｋを含む交換ユニット８０１Ｃ、８０１Ｍ、８０１Ｙ、８０１Ｋに関わる部分の構成の一例を示すブロック図である。尚、図８において、図２に示したものと同じ構成のブロックについては図２と同じ符号を用い、その説明を省略する。
【０１５４】
図８に示すように、交換ユニット８０１Ｃは、図２に示した交換ユニット８Ｃとは、内部ブロック８５Ｃ（図２）の代わりに、内部ブロック８５１Ｃを備える点が異なる。内部ブロック８５１Ｃには、現像部６Ｃ（動作部）と、ＲＯＭ８６１Ｃ（基準情報記憶部）と、出力部８７１Ｃと、が含まれている。
【０１５５】
同様に、交換ユニット８０１Ｍは、図２に示した交換ユニット８Ｍとは、内部ブロック８５Ｍ（図２）の代わりに、内部ブロック８５１Ｍを備える点が異なる。内部ブロック８５１Ｍには、現像部６Ｍと、ＲＯＭ８６１Ｍと、出力部８７１Ｍと、が含まれている。交換ユニット８０１Ｙは、図２に示した交換ユニット８Ｙとは、内部ブロック８５Ｙ（図２）の代わりに、内部ブロック８５１Ｙを備える点が異なる。内部ブロック８５１Ｙには、現像部６Ｙと、ＲＯＭ８６１Ｙと、出力部８７１Ｙと、が含まれている。交換ユニット８０１Ｋは、図２に示した交換ユニット８Ｋとは、内部ブロック８５Ｋ（図２）の代わりに、内部ブロック８５１Ｋを備える点が異なる。内部ブロック８５１Ｋには、現像部６Ｋと、ＲＯＭ８６１Ｋと、出力部８７１Ｋと、が含まれている。内部ブロック８５１Ｃ、８５１Ｍ、８５１Ｙ、８５１Ｋは、現像に用いるトナーの色が異なる点を除いて、互いに同様の構成を有する。
【０１５６】
以下では、交換ユニット８０１Ｃ、８０１Ｍ、８０１Ｙ、８０１Ｋを総称して説明する場合に、交換ユニット８０１と示し、内部ブロック８５１Ｃ、８５１Ｍ、８５１Ｙ、８５１Ｋを総称して説明する場合に、内部ブロック８５１と示す。
【０１５７】
また、ＲＯＭ８６１Ｃ、８６１Ｍ、８６１Ｙ、８６１Ｋを総称して説明する場合に、ＲＯＭ８６１と示し、出力部８７１Ｃ、８７１Ｍ、８７１Ｙ、８７１Ｋを総称して説明する場合に、出力部８７１と示す。
【０１５８】
現像部６は、電源電圧によって現像ローラーを回転動作させることによって、各色のトナーを感光体ドラム３上の静電潜像に付着させる動作を行う。
【０１５９】
ＲＯＭ８６１には、現像部６の交換の要否を判断するための基準となる基準情報として、例えば、現像部６に備えられた現像ローラーの仕様によって予め定められた、現像ローラーを回転動作させることができる最大累積稼動時間を示す情報が記憶されている。
【０１６０】
出力部８７１は、ＲＯＭ８６１に記憶されている基準情報を読み出し、基準情報を示す信号を信号端子８４へ出力する。
【０１６１】
以下では、ユーザーが現像部６を含む交換ユニット８０１を複写機１から取り外すときの複写機１の動作について説明する。図９は、ユーザーが現像部６を含む交換ユニット８０１を複写機１から取り外すときの複写機１の動作の一例を示すフローチャートである。尚、図９において、図３に示したものと同じ処理内容のステップについては図３と同じ符号を用い、その説明を省略する。
【０１６２】
図９に示すように、ユーザーが現像部６を含む交換ユニット８０１を複写機１から取り外すときの複写機１の動作は、図３に示したユーザーが感光体ドラム３を含む交換ユニット８を複写機１から取り外すときの複写機１の動作とは、交換ユニット８の交換要否を判断するステップＳ３からステップＳ７の代わりに、現像部６を含む交換ユニット８０１の交換要否を判断するステップＳ４１からステップＳ４５を実行する点が異なる。
【０１６３】
動作制御部１２は、ステップＳ２における印刷処理の実行によって、現像部６Ｃに備えられた現像ローラーを回転動作させた稼動時間を累積加算し、累積加算した結果である累積稼動時間を示す情報を、現像部６Ｃを動作させた履歴に関する情報である履歴情報として履歴情報記憶部１１に記憶する。同様に、動作制御部１２は、現像部６Ｍ、６Ｙ、６Ｋのそれぞれに備えられた現像ローラーを回転動作させた稼動時間をそれぞれ累積加算し、各累積加算した結果の累積稼動時間を示す情報を、それぞれ、現像部６Ｍ、６Ｙ、６Ｋを回転動作させた履歴に関する情報である履歴情報として、履歴情報記憶部１１に記憶する（Ｓ４１）。
【０１６４】
そして、着脱要否判断部１３は、ステップＳ４（図３）と同様にして、ＲＯＭ８６１Ｃ、８６１Ｍ、８６１Ｙ、８６１Ｋにそれぞれ記憶されている基準情報を取得した後（Ｓ４２）、履歴情報記憶部１１に記憶された履歴情報によって示される現像部６Ｃ、６Ｍ、６Ｙ、６Ｋに備えられた各現像ローラーの各累積稼動時間が、ステップＳ４２において取得された基準情報によって示される現像部６Ｃ、６Ｍ、６Ｙ、６Ｋに備えられた各現像ローラーの各最大累積稼動時間以上であるか否かを判定する（Ｓ４３）。
【０１６５】
そして、着脱要否判断部１３は、ステップＳ４３において、現像部６Ｃ、６Ｍ、６Ｙ、６Ｋのうちに、現像ローラーの累積稼動時間が最大累積稼動時間以上になっている現像部６がなかった場合は（Ｓ４４；ＮＯ）、寿命に達している現像部が存在せず、交換が必要な交換ユニット８は存在しないと考えられるので、再び画像形成部２に動作を行わせるべく、ステップＳ１に処理を移行させる。
【０１６６】
一方、着脱要否判断部１３は、ステップＳ４３において、現像部６Ｃ、６Ｍ、６Ｙ、６Ｋのうちに、現像ローラーの累積稼動時間が最大累積稼動時間以上になっている現像部６が有った場合（Ｓ４４；ＹＥＳ）、現像ローラーの累積稼動時間が最大累積稼動時間以上になっている現像部６を特定する。そして、その特定された現像部６は寿命に達していると考えられるので、着脱要否判断部１３は、その特定した現像部６を交換するために、その特定した現像部６を含む交換ユニット８０１を交換のために取り外す必要があると判断する（Ｓ４５）。そして、着脱要否判断部１３は、ステップＳ８へ処理を移行させる。
【０１６７】
現像部６を含む交換ユニット８０１を複写機１に装着するときの複写機１の動作は、図５に示したユーザーが感光体ドラム３を含む交換ユニット８を複写機１に装着するときの複写機１の動作と同じ動作であるので説明を省略する。
【０１６８】
〔第４実施形態〕
また、第１乃至第３実施形態と同様にして、定着部１６０を含む交換ユニットを構成し、当該定着部１６０を含む交換ユニットを、本体部１００（図１）における図１の紙面左側に設けられた図略のカバーを開いて本体部１００に対して着脱可能に構成してもよい。
【０１６９】
以下、定着部１６０を含む交換ユニットを複写機１に取り付けるための接続関係について詳述する。図１０は、複写機１における定着部１６０を含む交換ユニット８０２に関わる部分の構成の一例を示すブロック図である。尚、図１０において、図２に示したものと同じ構成のブロックについては図２と同じ符号を用い、その説明を省略する。
【０１７０】
図１０に示すように、交換ユニット８０２は、図２に示した交換ユニット８Ｃとは、内部ブロック８５Ｃ（図２）の代わりに、内部ブロック８５２を備える点が異なる。内部ブロック８５２には、定着部１６０（動作部）と、ＲＯＭ８６２（基準情報記憶部）と、出力部８７２と、が含まれている。
【０１７１】
定着部１６０は、電源電圧によってヒーターを駆動してヒートローラー１６１（図１）を加熱するとともに、電源電圧によって加圧ローラー１６２（図１）を回転動作させることによって、トナーを用紙上に定着させる動作を行う。
【０１７２】
ＲＯＭ８６２には、定着部１６０の交換の要否を判断するための基準となる基準情報として、例えば、加圧ローラー１６２の仕様によって予め定められた、加圧ローラー１６２を回転動作させることができる最大累積稼動時間を示す情報が記憶されている。
【０１７３】
出力部８７２は、ＲＯＭ８６２に記憶されている基準情報を読み出し、基準情報を示す信号を信号端子８４Ｃへ出力する。
【０１７４】
また、第２接続端子９３Ｃは、図２に示した第２接続端子９３Ｃとは異なり、ユニットコネクター８０Ｃと接続される側とは反対側の端部がグランドに接続されている。したがって、ユニットコネクター８０Ｃが本体コネクター９０Ｃに装着されると、電源部２０から抵抗器２２を介して、本体コネクター９０Ｃの第１接続端子９２Ｃ、ユニットコネクター８０Ｃの第１接続端子８２Ｃ、ユニットコネクター８０Ｃの第２接続端子８３Ｃ、本体コネクター９０Ｃの第２接続端子９３Ｃ、を順に通り、グランドに至る電流の導通経路が形成される。
【０１７５】
以下では、ユーザーが定着部１６０を含む交換ユニット８０２を複写機１から取り外すときの複写機１の動作について説明する。図１１は、ユーザーが定着部１６０を含む交換ユニット８０２を複写機１から取り外すときの複写機１の動作の一例を示すフローチャートである。尚、図１１において、図３に示したものと同じ処理内容のステップについては図３と同じ符号を用い、その説明を省略する。
【０１７６】
図１１に示すように、ユーザーが定着部１６０を含む交換ユニット８０２を複写機１から取り外すときの複写機１の動作は、図３に示したユーザーが感光体ドラム３を含む交換ユニット８を複写機１から取り外すときの複写機１の動作とは、交換ユニット８の交換要否を判断するステップＳ３からステップＳ７の代わりに、定着部１６０を含む交換ユニット８０２の交換要否を判断するステップＳ５１からステップＳ５５を実行する点が異なる。
【０１７７】
動作制御部１２は、ステップＳ２における印刷処理の実行によって、加圧ローラー１６２を回転動作させた稼動時間を累積加算し、累積加算した結果である累積稼動時間を示す情報を、定着部１６０を動作させた履歴に関する情報である履歴情報として履歴情報記憶部１１に記憶する（Ｓ５１）。
【０１７８】
そして、着脱要否判断部１３は、ステップＳ４（図３）と同様にして、ＲＯＭ８６２に記憶されている基準情報を取得した後（Ｓ５２）、履歴情報記憶部１１に記憶された履歴情報によって示される加圧ローラー１６２の累積稼動時間が、ステップＳ５２において取得された基準情報によって示される加圧ローラー１６２の最大累積稼動時間以上であるか否かを判定する（Ｓ５３）。
【０１７９】
そして、着脱要否判断部１３は、ステップＳ５３において、加圧ローラー１６２の累積稼動時間が最大累積稼動時間以上ではないと判定した場合は（Ｓ５４；ＮＯ）、定着部１６０は寿命に達していず、交換ユニット８０２を交換する必要はないと考えられるので、再び画像形成部２に動作を行わせるべく、ステップＳ１に処理を移行させる。
【０１８０】
一方、着脱要否判断部１３は、ステップＳ５３において、加圧ローラー１６２の累積稼動時間が最大累積稼動時間以上であると判定した場合は（Ｓ５４；ＹＥＳ）、定着部１６０は寿命に達していると考えられるので、定着部１６０を交換するために、交換ユニット８０２を交換のために取り外す必要があると判断する（Ｓ５５）。
【０１８１】
次に、ユーザーが定着部１６０を含む交換ユニット８０２を複写機１に装着するときの複写機１の動作について説明する。ユーザーが定着部１６０を含む交換ユニット８０２を複写機１に装着するときの複写機１の動作は、図５に示したユーザーが感光体ドラム３を含む交換ユニット８を複写機１に装着する動作と同様の動作である。ただし、導通検出部１５は、ステップＳ２１において、測定した電圧値Ｖｓが所定の基準電圧値Ｖｔｈを超えるか否かによって、第１接続端子９２Ｃと第２接続端子９３Ｃとの間の導通の有無を検出する。
【０１８２】
例えば、ユニットコネクター８０Ｃが本体コネクター９０Ｃに装着されている場合、電源部２０から、抵抗器２２、第１接続端子９２Ｃ、交換ユニット８０２、及び第２接続端子９３Ｃを介してグランドに至る電流の導通経路は遮断されていない。この場合、第１接続端子９２Ｃがグランドに接続されるので、第１接続端子９２Ｃの電圧値がグランドレベルになり、測定した電圧値Ｖｓが所定の基準電圧値Ｖｔｈを下回る。これによって、導通検出部１５は、第１接続端子９２Ｃと第２接続端子９４Ｃとの間が導通していることを検出する。
【０１８３】
一方、ユニットコネクター８０Ｃが本体コネクター９０Ｃに装着されていない場合、電源部２０から、抵抗器２２、第１接続端子９２Ｃ、交換ユニット８０２、及び第２接続端子９３Ｃを介してグランドに至る電流の導通経路がどこかで遮断される。この場合、電源部２０から抵抗器２２を介して第１接続端子９２Ｃに向けて電流が流れなくなり、測定した電圧値Ｖｓが所定の基準電圧値Ｖｔｈを下回らない。これによって、導通検出部１５は、第１接続端子９２Ｃと第２接続端子９３Ｃとの間が導通していないことを検出する。
【０１８４】
第４実施形態の構成によれば、ユニットコネクター８０Ｃが本体コネクター９０Ｃに装着されたことを、第１接続端子９２Ｃと第２接続端子９３Ｃとの間が導通されていることによって適切に検知することができる。そして、ユニットコネクター８０Ｃが本体コネクター９０Ｃに装着された後に、電源部２０から電源端子９１Ｃへの電源電圧の供給が開始される。つまり、交換ユニット８０２が本体コネクター９０Ｃに装着されていなければ、電源端子９１Ｃには電源電圧は供給されない。したがって、電源電圧が供給された状態の本体コネクター９０Ｃに交換ユニット８０２が装着されることがない。これによって、本体コネクター９０Ｃに装着された交換ユニット８０２の電源端子８１Ｃにサージ電圧が生じる虞が軽減され、当該交換ユニット８０２を損傷させる虞が軽減される。
【０１８５】
〔第５実施形態〕
上記第１乃至第３実施形態では、４つの交換ユニットへの電源電圧の供給及び遮断を同時に切り替える構成について説明し、第４実施形態では、１つの交換ユニットへの電源電圧の供給及び遮断を切り替える構成について説明したが、これに限らず、３つの交換ユニットへの電源電圧の供給及び遮断を同時に切り替える構成にしてもよい。
【０１８６】
具体的には、例えば、シアン、マゼンタ、イエローの各色に対応する感光体ドラム３Ｃ、３Ｍ、３Ｙをそれぞれ含む３つの交換ユニット８Ｃ、８Ｍ、８Ｙへの電源電圧の供給及び遮断を同時に切り替える構成にしてもよい。この構成は、例えば、黒色の画像を用紙に形成するための画像形成部を備えず、シアン、マゼンタ、イエローの３色の画像を用紙に形成するための画像形成部を備えた複写機に適用することができる。
【０１８７】
以下、３つの交換ユニット８Ｃ、８Ｍ、８Ｙへの電源電圧の供給及び遮断を同時に切り替える構成について説明する。図１２は、複写機１における３つの交換ユニット８Ｃ、８Ｍ、８Ｙに関わる部分の構成の一例を示すブロック図である。尚、図１２において、図２に示したものと同じ構成のブロックについては図２と同じ符号を用い、その説明を省略する。
【０１８８】
図１２に示すように、３つの交換ユニット８Ｃ、８Ｍ、８Ｙへの電源電圧の供給及び遮断を同時に切り替える構成は、図２に示した構成とは、以下の点で異なる。即ち、図１２に示す複写機１は、交換ユニット８Ｋ及び本体コネクター９０Ｋを備えていない。また、本体コネクター９０Ｍの第２接続端子９３Ｍにおけるユニットコネクター８０Ｍと接続される側とは反対側の端部と、本体コネクター９０Ｙの第１接続端子９２Ｙにおけるユニットコネクター８０Ｙと接続される側とは反対側の端部とが、配線部Ｌ２（第２の配線部）によって接続されている。また、本体コネクター９０Ｙの第２接続端子９３Ｙにおけるユニットコネクター８０Ｙと接続される側とは反対側の端部がグランドに接続されている。
【０１８９】
尚、本体コネクター９０Ｃ（第１の本体側接続部）、９０Ｍ（第３の本体側接続部）、９０Ｙ（第２の本体側接続部）は、本体側接続部９００を構成する。
【０１９０】
つまり、３つのユニットコネクター８０Ｃ、８０Ｍ、８０Ｙの全てがそれぞれに対応する本体コネクター９０Ｃ、９０Ｍ、９０Ｙに装着された場合には、本体コネクター９０Ｃの第１接続端子９２Ｃと本体コネクター９０Ｙの第２接続端子９３Ｙとの間に、３つの本体コネクター９０Ｃ、９０Ｍ、９０Ｙに含まれる全ての第１接続端子９２Ｃ、９２Ｍ、９２Ｙ及び第２接続端子９３Ｃ、９３Ｍ、９３Ｙと、３つのユニットコネクター８０Ｃ、８０Ｍ、８０Ｙに含まれる全ての第１接続端子８２Ｃ、８２Ｍ、８２Ｙ及び第２接続端子８３Ｃ、８３Ｍ、８３Ｙと、を通る電流の導通経路が形成される。このため、３つのユニットコネクター８０Ｃ、８０Ｍ、８０Ｙのうちの何れかが、それぞれに対応する本体コネクター９０Ｃ、９０Ｍ、９０Ｙに装着されていない場合には、上記の電流の導通経路がどこかで遮断されることとなる。
【０１９１】
ユーザーが交換ユニット８Ｃ、８Ｍ、８Ｙを複写機１から取り外すときの複写機１の動作は、図３に示した複写機１の動作と同様の動作であるため説明を省略する。
【０１９２】
また、ユーザーが交換ユニット８Ｃ、８Ｍ、８Ｙを複写機１に装着するときの複写機１の動作は、図５に示した複写機１の動作と同様の動作である。ただし、導通検出部１５は、ステップＳ２１において、測定した電圧値Ｖｓが所定の基準電圧値Ｖｔｈを超えるか否かによって、第１接続端子９２Ｃと第２接続端子９３Ｙとの間の導通の有無を検出する。
【０１９３】
例えば、ユニットコネクター８０Ｃ、８０Ｍ、８０Ｙがそれぞれ本体コネクター９０Ｃ、９０Ｍ、９０Ｙに装着されている場合、電源部２０から、抵抗器２２、第１接続端子９２Ｃ、交換ユニット８Ｃ、８Ｍ、８Ｙ及び第２接続端子９３Ｙを介してグランドに至る電流の導通経路は遮断されていない。この場合、第１接続端子９２Ｃがグランドに接続されるので、第１接続端子９２Ｃの電圧値がグランドレベルになり、測定した電圧値Ｖｓが所定の基準電圧値Ｖｔｈを下回る。これによって、導通検出部１５は、第１接続端子９２Ｃと第２接続端子９３Ｙとの間が導通していることを検出する。
【０１９４】
一方、ユニットコネクター８０Ｃ、８０Ｍ、８０Ｙのうちの何れかが本体コネクター９０Ｃ、９０Ｍ、９０Ｙに装着されていない場合、電源部２０から、抵抗器２２、第１接続端子９２Ｃ、交換ユニット８Ｃ、８Ｍ、８Ｙ及び第２接続端子９３Ｙを介してグランドに至る電流の導通経路がどこかで遮断される。この場合、電源部２０から抵抗器２２を介して第１接続端子９２Ｃに向けて電流が流れなくなり、測定した電圧値Ｖｓが所定の基準電圧値Ｖｔｈを下回らない。これによって、導通検出部１５は、第１接続端子９２Ｃと第２接続端子９３Ｙとの間が導通していないことを検出する。
【０１９５】
このように、第５実施形態の構成によれば、導通検出部１５によって、本体コネクター９０Ｃの第１接続端子９２Ｃと本体コネクター９０Ｙの第２接続端子９３Ｙとの間の導通、即ち、３つのユニットコネクター８０Ｃ、８０Ｍ、８０Ｙに含まれる全ての第１接続端子８２Ｃ、８２Ｍ、８２Ｙ及び第２接続端子８３Ｃ、８３Ｍ、８３Ｙと、３つの本体コネクター９０Ｃ、９０Ｍ、９０Ｙに含まれる全ての第１接続端子９２Ｃ、９２Ｍ、９２Ｙ及び第２接続端子９３Ｃ、９３Ｍ、９３Ｙと、を通る電流の導通経路の導通の有無を検出することによって、適切に、３つのユニットコネクター８０Ｃ、８０Ｍ、８０Ｙの全てがそれぞれに対応する本体コネクター９０Ｃ、９０Ｍ、９０Ｙに装着されたか否かを検知することができる。
【０１９６】
そして、本体コネクター９０Ｃの第１接続端子９２Ｃと本体コネクター９０Ｙの第２接続端子９３Ｙとの間の導通が検出された場合に、つまり、３つのユニットコネクター８０Ｃ、８０Ｍ、８０Ｙの全てがそれぞれに対応する本体コネクター９０Ｃ、９０Ｍ、９０Ｙに装着された後に、電源部２０から電源端子９１Ｃ、９１Ｍ、９１Ｙへの電源電圧の供給が開始される。つまり、交換ユニット８Ｃ、８Ｍ、８Ｙのうち、一つでも本体コネクター９０Ｃ、９０Ｍ、９０Ｙに装着されていない交換ユニットがあれば、本体コネクター９０Ｃ、９０Ｍ、９０Ｙには電源電圧は供給されない。したがって、電源電圧が供給された状態の本体コネクター９０Ｃ、９０Ｍ、９０Ｙに交換ユニット８Ｃ、８Ｍ、８Ｙが装着されることがない。これによって、本体コネクターに装着された交換ユニットの電源端子にサージ電圧が生じる虞が軽減され、当該交換ユニットを損傷させる虞が軽減される。
【０１９７】
〔第６実施形態〕
また、２つの交換ユニットへの電源電圧の供給及び遮断を同時に切り替える構成にしてもよい。
【０１９８】
具体的には、例えば、黒色に対応する現像部６Ｋを含む交換ユニットと、黒色に対応する感光体ドラム３Ｋを含む交換ユニットと、の近接する２つの交換ユニットへの電源電圧の供給及び遮断を同時に切り替える構成にしてもよい。この構成は、例えば、黒色の画像を用紙に形成するための画像形成部のみを備えたモノクロコピーが行える複写機に適用することができる。
【０１９９】
以下、黒色に対応する現像部６Ｋを含む交換ユニット８０３Ｋと黒色に対応する感光体ドラム３Ｋを含む交換ユニット８Ｋとの２つの交換ユニットへの電源電圧の供給及び遮断を同時に切り替える構成について説明する。図１３は、複写機１における２つの交換ユニット８０３Ｋ、８Ｋに関わる部分の構成の一例を示すブロック図である。尚、図１３において、図２及び図８に示したものと同じ構成のブロックについては図２及び図８と同じ符号を用い、その説明を省略する。
【０２００】
図１３に示すように、２つの交換ユニット８０３Ｋ、８Ｋへの電源電圧の供給及び遮断を同時に切り替える構成は、図２に示した構成とは、以下の点で異なる。即ち、図１３に示す複写機１は、交換ユニット８Ｍ、８Ｙ、本体コネクター９０Ｍ、９０Ｙを備えていない。また、本体コネクター９０Ｃの第２接続端子９３Ｃにおけるユニットコネクター８０Ｃと接続される側とは反対側の端部と、本体コネクター９０Ｋの第１接続端子９２Ｋにおけるユニットコネクター８０Ｋと接続される側とは反対側の端部と、を接続する配線部Ｌ４（配線部）を備えている。また、交換ユニット８０３Ｋは、図２に示した交換ユニット８Ｃとは、内部ブロック８５Ｃ（図２）の代わりに、図８に示した内部ブロック８５１Ｋを備えている。
【０２０１】
尚、本体コネクター９０Ｃ（第１の本体側接続部）、９０Ｍ（第２の本体側接続部）は、本体側接続部９０１を構成する。
【０２０２】
つまり、２つのユニットコネクター８０Ｃ、８０Ｋの全てがそれぞれに対応する本体コネクター９０Ｃ、９０Ｋに装着された場合には、本体コネクター９０Ｃの第１接続端子９２Ｃと本体コネクター９０Ｋの第２接続端子９３Ｋとの間に、２つの本体コネクター９０Ｃ、９０Ｋに含まれる全ての第１接続端子９２Ｃ、９２Ｋ及び第２接続端子９３Ｃ、９３Ｋと、２つのユニットコネクター８０Ｃ、８０Ｋに含まれる全ての第１接続端子８２Ｃ、８２Ｋ及び第２接続端子８３Ｃ、８３Ｋと、を通る電流の導通経路が形成される。このため、２つのユニットコネクター８０Ｃ、８０Ｋのうちの何れかが、それぞれに対応する本体コネクター９０Ｃ、９０Ｋに装着されていない場合には、上記の電流の導通経路がどこかで遮断されることとなる。
【０２０３】
ユーザーが交換ユニット８０３Ｋ、８Ｋを複写機１から取り外すときの複写機１の動作は、図３に示したステップＳ１からステップＳ７と同様にして、交換ユニット８Ｋの交換要否を判断し、更に、図９に示したステップＳ４１からステップＳ４５と同様にして、交換ユニット８０３Ｋの交換要否を判断する動作を行った後、図３に示したステップＳ８及びステップＳ９を行う動作となる。
【０２０４】
また、ユーザーが交換ユニット８０３Ｋ、８Ｋを複写機１に装着するときの複写機１の動作は、図５に示した複写機１の動作と同様の動作である。ただし、導通検出部１５は、ステップＳ２１において、測定した電圧値Ｖｓが所定の基準電圧値Ｖｔｈを超えるか否かによって、第１接続端子９２Ｃと第２接続端子９３Ｋとの間の導通の有無を検出する。
【０２０５】
例えば、ユニットコネクター８０Ｃ、８０Ｋがそれぞれ本体コネクター９０Ｃ、９０Ｋに装着されている場合、電源部２０から、抵抗器２２、第１接続端子９２Ｃ、交換ユニット８０３Ｋ、８Ｋ及び第２接続端子９３Ｋを介してグランドに至る電流の導通経路は遮断されていない。この場合、第１接続端子９２Ｃがグランドに接続されるので、第１接続端子９２Ｃの電圧値がグランドレベルになり、測定した電圧値Ｖｓが所定の基準電圧値Ｖｔｈを下回る。これによって、導通検出部１５は、第１接続端子９２Ｃと第２接続端子９３Ｋとの間が導通していることを検出する。
【０２０６】
一方、ユニットコネクター８０Ｃ、８０Ｋのうちの何れかが本体コネクター９０Ｃ、９０Ｋに装着されていない場合、電源部２０から、抵抗器２２、第１接続端子９２Ｃ、交換ユニット８０３Ｋ、８Ｋ及び第２接続端子９３Ｋを介してグランドに至る電流の導通経路がどこかで遮断される。この場合、電源部２０から抵抗器２２を介して第１接続端子９２Ｃに向けて電流が流れなくなり、測定した電圧値Ｖｓが所定の基準電圧値Ｖｔｈを下回らない。これによって、導通検出部１５は、第１接続端子９２Ｃと第２接続端子９３Ｋとの間が導通していないことを検出する。
【０２０７】
このように、第６実施形態の構成によれば、導通検出部１５によって、本体コネクター９０Ｃの第１接続端子９２Ｃと本体コネクター９０Ｋの第２接続端子９３Ｋとの間の導通、即ち、２つのユニットコネクター８０Ｃ、８０Ｋに含まれる全ての第１接続端子８２Ｃ、８２Ｋ及び第２接続端子８３Ｃ、８３Ｋと、２つの本体コネクター９０Ｃ、９０Ｋに含まれる全ての第１接続端子９２Ｃ、９２Ｋ及び第２接続端子９３Ｃ、９３Ｋと、を通る電流の導通経路の導通の有無を検出することによって、適切に、２つのユニットコネクター８０Ｃ、８０Ｋの全てがそれぞれに対応する本体コネクター９０Ｃ、９０Ｋに装着されたか否かを検知することができる。
【０２０８】
そして、本体コネクター９０Ｃの第１接続端子９２Ｃと本体コネクター９０Ｋの第２接続端子９３Ｋとの間の導通が検出された場合に、つまり、２つのユニットコネクター８０Ｃ、８０Ｋの全てがそれぞれに対応する本体コネクター９０Ｃ、９０Ｋに装着された後に、電源部２０から電源端子９１Ｃ、９１Ｋへの電源電圧の供給が開始される。つまり、交換ユニット８０３Ｋ、８Ｋのうち、一つでも本体コネクター９０Ｃ、９０Ｋに装着されていない交換ユニットがあれば、本体コネクター９０Ｃ、９０Ｋには電源電圧は供給されない。したがって、電源電圧が供給された状態の本体コネクター９０Ｃ、９０Ｋに交換ユニット８０３Ｋ、８Ｋが装着されることがない。これによって、本体コネクターに装着された交換ユニットの電源端子にサージ電圧が生じる虞が軽減され、当該交換ユニットを損傷させる虞が軽減される。
【０２０９】
〔第７実施形態〕
また、５つ以上の交換ユニットへの電源電圧の供給及び遮断を同時に切り替えるように構成してもよい。具体的には、例えば、感光体ドラム３Ｃ、３Ｍ、３Ｙ、３Ｋをそれぞれ含む４つの交換ユニットと定着部１６０を含む交換ユニットとの５つの交換ユニットへの電源電圧の供給及び遮断を同時に切り替える構成にしてもよい。或いは、感光体ドラム３Ｃ、３Ｍ、３Ｙ、３Ｋをそれぞれ含む４つの交換ユニットと、現像部６Ｃ、６Ｍ、６Ｙ、６Ｋをそれぞれ含む４つの交換ユニットとの８つの交換ユニットへの電源電圧の供給及び遮断を同時に切り替える構成にしてもよい。
【０２１０】
以下、５つ以上の交換ユニットへの電源電圧の供給及び遮断を同時に切り替える構成を代表して、感光体ドラム３Ｃ、３Ｍ、３Ｙ、３Ｋを含む４つの交換ユニット８Ｃ、８Ｍ、８Ｙ、８Ｋと定着部１６０を含む交換ユニット８０４の５つの交換ユニットへの電源電圧の供給及び遮断を同時に切り替える構成について説明する。図１４は、複写機１における５つの交換ユニット８Ｃ、８Ｍ、８Ｙ、８Ｋ、８０４に関わる部分の構成の一例を示すブロック図である。尚、図１４において、図２及び図１０に示したものと同じ構成のブロックについては図２及び図１０と同じ符号を用い、その説明を省略する。
【０２１１】
定着部１６０を含む交換ユニット８０４は、図１０に示した交換ユニット８０２と同様の構成であり、図１０に示した内部ブロック８５２と、ユニットコネクター８０Ａと、を備えている。ユニットコネクター８０Ａは、図２に示したコネクター８０Ｃと同様の構成であり、電源端子８１Ａと、第１接続端子８２Ａと、第２接続端子８３Ａと、信号端子８４Ａと、を備え、本体コネクター９０Ａに着脱可能に接続される。本体コネクター９０Ａは、本体コネクター９０Ｃと同様の構成であり、電源端子９１Ａと、第１接続端子９２Ａと、第２接続端子９３Ａと、信号端子９４Ａと、を備えている。
【０２１２】
また、複写機１は、本体コネクター９０Ｋの第２接続端子９３Ｋにおける交換ユニット８Ｋと接続される側とは反対側の端部と、本体コネクター９０Ａの第１接続端子９２Ａにおけるユニットコネクター８０Ａと接続される側とは反対側の端部と、を接続する配線部Ｌ５（第２の配線部）を備えている。
【０２１３】
尚、本体コネクター９０Ｃ（第１の本体側接続部）、９０Ｍ（第３の本体側接続部）、９０Ｙ（第３の本体側接続部）、９０Ｋ（第３の本体側接続部）、９０Ａ（第２の本体側接続部）は、本体側接続部９０２を構成する。また、第７実施形態の構成では、配線部Ｌ２は、本発明に係る第３の配線部の一例を構成する。
【０２１４】
つまり、５つの交換ユニット８Ｃ、８Ｍ、８Ｙ、８Ｋ、８０４の全てがそれぞれに対応する本体コネクター９０Ｃ、９０Ｍ、９０Ｙ、９０Ｋ、９０Ａに装着された場合には、本体コネクター９０Ｃの第１接続端子９２Ｃと本体コネクター９０Ａの第２接続端子９３Ａとの間に、５つの本体コネクター９０Ｃ、９０Ｍ、９０Ｙ、９０Ｋ、９０Ａと、５つの交換ユニット８Ｃ、８Ｍ、８Ｙ、８Ｋ、８０４と、を通る電流の導通経路が形成される。このため、５つの交換ユニット８Ｃ、８Ｍ、８Ｙ、８Ｋ、８０４のうちの何れかが、それぞれに対応する本体コネクター９０Ｃ、９０Ｍ、９０Ｙ、９０Ｋ、９０Ａに装着されていない場合には、上記の電流の導通経路がどこかで遮断されることとなる。
【０２１５】
ユーザーが交換ユニット８Ｃ、８Ｍ、８Ｙ、８Ｋ、８０４を複写機１から取り外すときの複写機１の動作は、図３に示したステップＳ１からステップＳ７と同様にして、交換ユニット８Ｃ、８Ｍ、８Ｙ、８Ｋの交換要否を判断し、更に、図１１に示したステップＳ５１からステップＳ５５と同様にして、交換ユニット８０４の交換要否を判断する動作を行った後、図３に示したステップＳ８及びステップＳ９を行う動作となる。
【０２１６】
また、ユーザーが交換ユニット８Ｃ、８Ｍ、８Ｙ、８Ｋ、８０４を複写機１に装着するときの複写機１の動作は、図５に示した複写機１の動作と同様の動作である。ただし、導通検出部１５は、ステップＳ２１において、測定した電圧値Ｖｓが所定の基準電圧値Ｖｔｈを超えるか否かによって、第１接続端子９２Ｃと第２接続端子９３Ａとの間の導通の有無を検出する。
【０２１７】
このように、上記第１乃至第３実施形態及び第７実施形態に示した、４つ以上の交換ユニットへの電源電圧の供給及び遮断を同時に切り替える構成においては、４つ以上の交換ユニットにそれぞれ接続される本体コネクターは、以下に示す、１つの第１本体コネクター（第１の本体側接続部）と、１つの第２本体コネクター（第２の本体側接続部）と、複数の第３本体コネクター（第３の本体側接続部）と、に分類される。
【０２１８】
第１本体コネクターは、その第１接続端子が配線部Ｌ０（図２、図６、図８、図１４）を介して制御部１０に接続されている本体コネクターである。第２本体コネクターは、その第２接続端子がグランドに接続されている本体コネクターである。第３本体コネクターは、第１本体コネクター及び第２本体コネクターとは別の複数の本体コネクターである。
【０２１９】
例えば、図１４では、本体コネクター９０Ｃが第１本体コネクターに相当し、本体コネクター９０Ａが第２本体コネクターに相当し、本体コネクター９０Ｍ、９０Ｙ、９０Ｋが第３本体コネクターに相当する。以下の説明では、括弧内に図１４に示すブロックを例示する。
【０２２０】
また、４つ以上の交換ユニットへの電源電圧の供給及び遮断を同時に切り替える構成においては、第１本体コネクター（本体コネクター９０Ｃ）の第２接続端子（第２接続端子９３Ｃ）と、複数の第３本体コネクターのうち一つの第３本体コネクター（本体コネクター９０Ｍ）の第１接続端子（第２接続端子９３Ｃ）と、を接続する第１の配線部（配線部Ｌ１）が設けられている。
【０２２１】
更に、第２本体コネクター（本体コネクター９０Ａ）の第１接続端子（第１接続端子９２Ａ）と、上記一つの第３本体コネクター（本体コネクター９０Ｍ）とは別の第３本体コネクター（本体コネクター９０Ｋ）の第２接続端子（第２接続端子９３Ｋ）と、を接続する第２の配線部（配線部Ｌ５）が設けられている。
【０２２２】
また、上記一つの第３本体コネクター（本体コネクター９０Ｍ）の第１接続端子（第１接続端子９２Ｍ）と、上記別の第３本体コネクター（本体コネクター９０Ｋ）の第２接続端子（第２接続端子９３Ｋ）とを除く、２つ以上の第３本体コネクター（本体コネクター９０Ｍ、９０Ｙ、９０Ｋ）の第１接続端子及び第２接続端子（第１接続端子９２Ｙ、９２Ｋ及び第２接続端子９３Ｍ、９３Ｙ）について、第３本体コネクターの第２接続端子を、それぞれ別の第３本体コネクターの第１接続端子に一対一になるように接続する第３の配線部（第１接続端子９２Ｙと第２接続端子９３Ｍとを接続する配線部Ｌ３、第１接続端子９２Ｙと第２接続端子９３Ｍとを接続する配線部Ｌ２）が設けられている。
【０２２３】
これによって、４つ以上の交換ユニットの全てがそれぞれに対応する本体コネクターに装着された場合には、第１本体コネクターの第１接続端子（第１接続端子９３Ｃ）と第２本体コネクターの第２接続端子（第１接続端子９３Ａ）との間に、４つ以上の本体コネクターに含まれる全ての第１接続端子及び第２接続端子と、４つ以上の交換ユニットのユニットコネクターに含まれる全ての第１接続端子及び第２接続端子と、を通る電流の導通経路が形成される。このため、４つ以上の交換ユニットのうちの何れかが、それぞれに対応する本体コネクターに装着されていない場合には、上記の電流の導通経路がどこかで遮断されることとなる。
【０２２４】
尚、導通検出部１５は、電源部２０から抵抗器２２を介して印加される電圧値Ｖｓが所定の基準電圧値Ｖｔｈを超えるか否かによって、第１本体コネクターの第１接続端子（第１接続端子９３Ｃ）と第２本体コネクターの第２接続端子（第１接続端子９３Ａ）との間の導通の有無を検出する。
【０２２５】
（１）尚、着脱要否判断部１３は、ステップＳ５５（図１１）において、更に、異常検出部１６によって用紙の搬送経路において用紙検知センサーＪ１から用紙検知センサーＪ３までの区間内で紙詰まりが発生したことが検出された場合に、定着部１６０を含む交換ユニット８０２の取り外しが必要であると判断するように構成してもよい。当該紙詰まりを解消するためには定着部１６０を含む交換ユニットを取り外す必要があると考えられるからである。また、この場合、ステップＳ５１からステップＳ５５（図１１）による、履歴情報及び基本情報に基づいて定着部１６０の交換要否を判断する処理を行わないように簡素化して構成してもよい。
【０２２６】
これによって、用紙検知センサーＪ１から用紙検知センサーＪ３までの区間内、つまり、搬送路１５３（図１）において紙詰まりが発生したことが異常検出部１６によって検出されたことによって、当該紙詰まりを解消すべく、定着部１６０を含む交換ユニットが取り外されるときに、定着部１６０を含む交換ユニットに電源電圧が供給される虞を軽減し、定着部１６０を含む交換ユニットを損傷させる虞を軽減することができる。
【０２２７】
（２）更に、異常検出部１６は、紙詰まりの発生を検出するだけでなく、感光体ドラム３の回転動作の異常、スクリューフィーダーの回転動作の異常、現像ローラーの回転動作の異常、或いは、加圧ローラー１６２の回転動作の異常等、交換ユニットに含まれる動作部の異常を公知の異常検出方法によって検出するように構成してもよい。
【０２２８】
これに合わせて、着脱要否判断部１３は、ステップＳ７（図３）、ステップＳ３６（図７）、ステップＳ４５（図９）において、更に、異常検出部１６によって交換ユニットに含まれる動作部の異常が検出された場合にも、当該異常が検出された動作部を含む交換ユニットの取り外しが必要であると判断するように構成してもよい。当該異常を解消するためには、当該異常が検出された動作部を含む交換ユニットの交換が必要であると考えられるからである。
【０２２９】
尚、この場合、ステップＳ３からステップＳ７（図３）による、履歴情報及び基本情報に基づいて感光体ドラム３の交換要否を判断する処理を行わないように簡素化して構成してもよい。同様に、ステップＳ３１からステップＳ３６（図７）による、履歴情報及び基本情報に基づいてトナー供給部６０の交換要否を判断する処理を行わないように簡素化して構成してもよい。また、ステップＳ４１からステップＳ４５（図７）による、履歴情報及び基本情報に基づいて現像部６の交換要否を判断する処理を行わないように簡素化して構成してもよい。
【０２３０】
上記（１）（２）によれば、上記の用紙の搬送経路において用紙検知センサーＪ１から用紙検知センサーＪ３までの区間内で発生した紙詰まりや、感光体ドラム３の回転動作の異常等、解消するために交換ユニットを取り外す必要のある異常が異常検出部１６によって検出された場合には、その検出された異常を解決するためには交換ユニットを取り外す必要があるので、着脱要否判断部１３は、当該交換ユニットの取り外しが必要であることを適切に判断することができる。
【０２３１】
尚、上記実施形態において図１乃至図１４に示した構成は単なる一例に過ぎず、本発明を当該実施形態に限定する趣旨ではない。
【０２３２】
例えば、ユニットコネクター８０（図２）に第１接続端子８２及び第２接続端子８３を備えないようにし、同様に、本体側接続部９０（図２）を構成する各本体コネクターに第１接続端子９２及び第２接続端子９３を備えないようにして、簡素化して構成してもよい。これに合わせて、制御部１０を、導通検出部１５として機能しないように構成して、ステップＳ２１からステップＳ２２（図５）を行わないように簡素化して構成してもよい。
【０２３３】
また、上記実施形態では、基準情報を交換ユニット８、８００、８０１、８０２に備えられたＲＯＭ８６、８６０、８６１、８６２に記憶するように構成していたが、これに限らず、制御部１０に備えられた不揮発性メモリーに基準情報を記憶するように構成してもよい。
【０２３４】
また、上記実施形態では、本発明に係る画像形成装置を複写機に適用する例について説明したが、これに限らず、例えば、電源電圧を用いて所定の動作を行う交換ユニットを備えた、モノクロコピー機、スキャナー、ファクシミリ装置、又は、コピー機能、スキャナー機能、或いはファクシミリ機能を兼ね備えた複合機に適用してもよい。
【符号の説明】
【０２３５】
１  複写機（画像形成装置）
２（２Ｃ、２Ｋ、２Ｍ、２Ｙ）  画像形成部
３（３Ｃ、３Ｋ、３Ｍ、３Ｙ）  感光体ドラム（動作部）
６（６Ｃ、６Ｋ、６Ｍ、６Ｙ）  現像部（動作部）
８（８Ｃ、８Ｋ、８Ｍ、８Ｙ）  交換ユニット
１０  制御部
１１  履歴情報記憶部
１２  動作制御部
１３  着脱要否判断部
１４  給電制御部
１５  導通検出部
１６  異常検出部
２０  電源部
２１  給電切替スイッチ（給電切替部）
３１  表示部（報知部）
３３  スピーカー（報知部）
６０（６０Ｃ、６０Ｋ、６０Ｍ、６０Ｙ）  トナー供給部（動作部）
８０（８０Ｃ、８０Ｋ、８０Ｍ、８０Ｙ）ユニットコネクター（ユニット側接続部）
８０Ａ  ユニットコネクター（ユニット側接続部）
８１（８１Ｃ、８１Ｋ、８１Ｍ、８１Ｙ）  電源端子（ユニット側電源端子）
８１Ａ  電源端子（ユニット側電源端子）
８２（８２Ｃ、８２Ｋ、８２Ｍ、８２Ｙ）  第１接続端子（第１のユニット側接続端子）
８２Ａ  第１電源端子（第１のユニット側接続端子）
８３（８３Ｃ、８３Ｋ、８３Ｍ、８３Ｙ）  第２接続端子（第２のユニット側接続端子）
８３Ａ  第２接続端子（第２のユニット側接続端子）
８４（８４Ｃ、８４Ｋ、８４Ｍ、８４Ｙ）  信号端子
８４Ａ  信号端子
８５（８５Ｃ、８５Ｋ、８５Ｍ、８５Ｙ）  内部ブロック
８６（８６Ｃ、８６Ｋ、８６Ｍ、８６Ｙ）  ＲＯＭ（基準情報記憶部）
８７（８７Ｃ、８７Ｋ、８７Ｍ、８７Ｙ）  出力部
９０（９０Ｃ、９０Ｋ、９０Ｍ、９０Ｙ）  本体側接続部
９０Ｃ  本体コネクター（本体側接続部）
９０Ｋ  本体コネクター（本体側接続部）
９０Ｍ  本体コネクター（本体側接続部）
９０Ｙ  本体コネクター（本体側接続部）
９０Ａ  本体コネクター（本体側接続部）
９１（９１Ｃ、９１Ｋ、９１Ｍ、９１Ｙ）  電源端子（本体側電源端子）
９１Ａ  電源端子（本体側電源端子）
９２（９２Ｃ、９２Ｋ、９２Ｍ、９２Ｙ）  第１接続端子（第１の本体側接続端子）
９２Ａ  第１接続端子（第１の本体側接続端子）
９３（９３Ｃ、９３Ｋ、９３Ｍ、９３Ｙ）  第２接続端子（第２の本体側接続端子）
９３Ａ  第２接続端子（第２の本体側接続端子）
９４（９４Ｃ、９４Ｋ、９４Ｍ、９４Ｙ）  信号端子
９４Ａ  信号端子
１６０  定着部（動作部）
１６２  加圧ローラー
８００（８００Ｃ、８００Ｍ、８００Ｙ、８００Ｋ）  交換ユニット
８０１（８０１Ｃ、８０１Ｍ、８０１Ｙ、８０１Ｋ）  交換ユニット
８０２  交換ユニット
８０３Ｋ  交換ユニット
８０４  交換ユニット
８５０（８５０Ｃ、８５０Ｍ、８５０Ｙ、８５０Ｋ）  内部ブロック
８５１（８５１Ｃ、８５１Ｍ、８５１Ｙ、８５１Ｋ）  内部ブロック
８５２  内部ブロック
８６０（８６０Ｃ、８６０Ｍ、８６０Ｙ、８６０Ｋ）  ＲＯＭ（基準情報記憶部）
８６１（８６１Ｃ、８６１Ｍ、８６１Ｙ、８６１Ｋ）  ＲＯＭ（基準情報記憶部）
８６２  ＲＯＭ（基準情報記憶部）
８７０（８７０Ｃ、８７０Ｍ、８７０Ｙ、８７０Ｋ）  出力部
８７１（８７１Ｃ、８７１Ｍ、８７１Ｙ、８７１Ｋ）  出力部
８７２  出力部
８８０（８８０Ｃ、８８０Ｍ、８８０Ｙ、８８０Ｋ）  残量検出部
９００（９０Ｃ、９０Ｍ、９０Ｙ）  本体側接続部
９０１（９０Ｃ、９０Ｋ）  本体側接続部
９０２（９０Ｃ、９０Ｍ、９０Ｙ、９０Ｋ、９０Ａ）  本体側接続部
Ｌ０〜Ｌ５  配線部
Ｍ  交換ユニットの取り外しを促す情報
Ｖｓ  電圧値
Ｖｔｈ  基準電圧値
【図１】
0005941888.tif 000002
【図２】
0005941888.tif 000003
【図３】
0005941888.tif 000004
【図４】
0005941888.tif 000005
【図５】
0005941888.tif 000006
【図６】
0005941888.tif 000007
【図７】
0005941888.tif 000008
【図８】
0005941888.tif 000009
【図９】
0005941888.tif 000010
【図１０】
0005941888.tif 000011
【図１１】
0005941888.tif 000012
【図１２】
0005941888.tif 000013
【図１３】
0005941888.tif 000014
【図１４】
0005941888.tif 000015